(57)【要約】【課題】  視聴者が要望するコンテンツを容易に入手することができ、コンテンツ供給者が視聴者の要望するコンテンツを把握することができ、予め定められた視聴者に対しコンテンツ供給者がコンテンツを配信することのできるコンテンツ配信システムを提供すること。【解決手段】  加入者識別モジュールに記憶された加入者識別情報と、コンテンツ記憶モジュールに記憶されたコンテンツ記憶モジュールを特定するためのコンテンツ記憶モジュール識別情報と、を対応付けて使用者識別情報を生成し、この使用者識別情報をコンテンツサーバにあらかじめ記憶させておき、通信端末から送信された使用者識別情報と、コンテンツサーバに記憶されている使用者識別情報とが一致したときに、コンテンツサーバからコンテンツが配信され、通信端末においてコンテンツを利用することができるコンテンツ配信システム。【選択図】図１
2012182602.tif 000002
【特許請求の範囲】
【請求項１】
（Ａ）通信端末本体と、
通信端末本体に対して着脱可能に設置された、コンテンツを記憶するためのコンテンツ記憶モジュールと、
通信端末本体に対して着脱可能に設置された、加入者識別情報を記憶した加入者識別モジュールと、
を有し、
前記加入者識別モジュールに記憶された加入者識別情報と、前記コンテンツ記憶モジュールに記憶された、コンテンツ記憶モジュールを特定するためのコンテンツ記憶モジュール識別情報と、を対応付けて使用者識別情報を生成する使用者識別情報生成手段と、
コンテンツサーバにコンテンツの要求を送信するコンテンツ要求送信手段と、
コンテンツサーバに使用者識別情報を送信する使用者識別情報送信手段と、
コンテンツサーバからコンテンツを受信するコンテンツ受信手段と、
コンテンツサーバから受信したコンテンツを前記コンテンツ記憶モジュールに記憶させるコンテンツ記憶手段と、
前記コンテンツ記憶モジュールに記憶されたコンテンツを利用するコンテンツ利用手段と、
を有する、通信ネットワークを介して相互に通信可能な通信端末と、
（Ｂ）前記通信端末（Ａ）からのコンテンツ要求を受信するコンテンツ要求受信手段と、
前記通信端末（Ａ）からの使用者識別情報を受信する使用者識別情報受信手段と、
使用者識別情報を記憶するコンテンツサーバ側使用者識別情報記憶手段と、
前記通信端末（Ａ）から受信した使用者識別情報と、コンテンツサーバに記憶されたコンテンツサーバ側使用者識別情報と、を照合する使用者照合手段と、
を有する、通信ネットワークを介して相互に通信可能なコンテンツサーバと、
を含むコンテンツ配信システムであって、
前記通信端末（Ａ）から前記使用者識別情報が前記コンテンツサーバ（Ｂ）に送信され、
前記コンテンツサーバ（Ｂ）に受信された前記使用者識別情報が、前記コンテンツサーバ（Ｂ）に記憶された後、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、
前記コンテンツサーバ（Ｂ）に対する前記通信端末（Ａ）からのコンテンツ要求を受信した前記コンテンツサーバ（Ｂ）が、前記通信端末（Ａ）に対しコンテンツを送信し、
前記コンテンツを受信することにより前記通信端末（Ａ）の前記コンテンツ記憶モジュールに記憶された前記コンテンツが、前記通信端末（Ａ）により利用可能とされることを特徴とする、コンテンツ配信システム。
【請求項２】
前記通信端末（Ａ）の前記コンテンツ記憶モジュールに記憶された前記コンテンツを利用する前に、前記通信端末（Ａ）から前記使用者識別情報が前記コンテンツサーバ（Ｂ）に送信され、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、前記通信端末（Ａ）の前記コンテンツ記憶モジュールに記憶された前記コンテンツが、前記通信端末（Ａ）により利用可能とされる、請求項１に記載のコンテンツ配信システム。
【請求項３】
前記通信端末（Ａ）が、
前記コンテンツ記憶モジュールに記憶されたコンテンツの再生回数、単位時間当たりの再生頻度および再生時間を含むコンテンツ利用情報を記憶するコンテンツ利用情報記憶手段と、
前記コンテンツ利用情報を前記コンテンツサーバ（Ｂ）に送信するコンテンツ利用情報送信手段と、
前記コンテンツサーバ（Ｂ）から送信されるコンテンツ優先順位情報を受信するコンテンツ優先順位情報受信手段と、  
前記コンテンツ優先順位情報を表示するコンテンツ優先順位情報表示手段と、
前記コンテンツ優先順位情報表示手段により表示された前記コンテンツ優先順位情報からコンテンツを選択できるコンテンツ選択手段と、
を有し、
前記コンテンツサーバ（Ｂ）が、
前記通信端末（Ａ）から前記コンテンツサーバ（Ｂ）に送信されたコンテンツ利用情報を受信するコンテンツ利用情報受信手段と、
前記コンテンツ利用情報を記憶するコンテンツサーバ側コンテンツ利用情報記憶手段と、
前記コンテンツサーバ側コンテンツ利用情報記憶手段に記憶されたコンテンツ利用情報に基づいて各コンテンツの優先順位を決定するコンテンツ優先順位決定手段と、
前記コンテンツ優先順位決定手段により決定されたコンテンツ優先順位情報を前記通信端末（Ａ）に送信するコンテンツ優先順位情報送信手段と、
を有し、
前記コンテンツ優先順位情報が、前記コンテンツサーバ（Ｂ）から前記通信端末（Ａ）に送信されて前記通信端末（Ａ）のコンテンツ優先順位情報表示手段により表示され、
表示された前記コンテンツ優先順位情報から選択されたコンテンツについて、前記コンテンツサーバ（Ｂ）に対し前記通信端末（Ａ）からコンテンツ要求が送信される、請求項１または２に記載のコンテンツ配信システム。
【請求項４】
前記コンテンツサーバ（Ｂ）から送信されたコンテンツが、利用期間情報を含み、
前記コンテンツサーバ（Ｂ）から送信されたコンテンツを受信した前記通信端末（Ａ）のコンテンツ記憶モジュールに記憶されたコンテンツが、前記利用期間情報に含まれる利用期間を経過するまでは、前記通信端末（Ａ）により利用できる、請求項１〜３のいずれかに記載のコンテンツ配信システム。
【請求項５】
前記コンテンツサーバ（Ｂ）が、
文字情報、音声情報、音楽情報、画像情報および動画情報からなる群より選ばれる少なくとも一つからなる広告情報を前記通信端末（Ａ）に送信する広告情報送信手段、
を有し、
前記通信端末（Ａ）が、
前記コンテンツサーバ（Ｂ）より送信された前記広告情報を受信する広告情報受信手段、
前記広告情報をコンテンツ記憶モジュールに記憶させる広告記憶手段、
前記広告情報を前記通信端末（Ａ）に再生する広告再生手段、
を有し、
前記通信端末（Ａ）の前記コンテンツ記憶モジュールに記憶された前記コンテンツが前記通信端末（Ａ）により利用される際に、前記広告情報が前記通信端末（Ａ）に再生される、請求項１〜４のいずれかに記載のコンテンツ配信システム。
【請求項６】
前記コンテンツサーバ（Ｂ）が、
コンテンツを暗号化および復号化するためのコンテンツ暗号化鍵を生成するコンテンツ暗号化鍵生成手段と、
コンテンツ暗号化鍵によりコンテンツを暗号化するコンテンツ暗号化手段と、
前記暗号化手段により暗号化されたコンテンツを送信する暗号化コンテンツ送信手段と、
前記コンテンツ暗号化鍵を送信するコンテンツ暗号化鍵送信手段と、
を有し、
前記通信端末（Ａ）が、
前記コンテンツサーバ（Ｂ）より送信された暗号化されたコンテンツを受信する暗号化コンテンツ受信手段と、
前記コンテンツサーバ（Ｂ）より送信されたコンテンツ暗号化鍵を受信するコンテンツ暗号化鍵受信手段と、
前記コンテンツ記憶モジュールに暗号化されたコンテンツを記憶する暗号化コンテンツ記憶手段と、
前記コンテンツ暗号化鍵を用いて前記暗号化されたコンテンツを復号するコンテンツ復号手段と、
を有し、
前記コンテンツ記憶モジュールに記憶された暗号化されたコンテンツを、前記コンテンツ暗号化鍵により復号することにより、
前記通信端末（Ａ）の前記コンテンツ記憶モジュールに記憶された暗号化されたコンテンツが、前記通信端末（Ａ）により利用可能とされる、請求項１〜５のいずれかに記載のコンテンツ配信システム。
【請求項７】
前記コンテンツサーバ（Ｂ）が、
前記通信端末（Ａ）から送信されたコンテンツ要求を受信したときに、コンテンツ利用課金情報を生成するコンテンツ利用課金情報生成手段と、
前記コンテンツ利用課金情報生成手段により生成したコンテンツ利用課金情報を決済機関に送信するコンテンツ利用課金情報送信手段と、
前記決済機関からのコンテンツ利用課金情報に対する決済結果を受信する決済結果受信手段と、
前記決済結果受信手段により受信された決済結果を、前記通信端末（Ａ）に送信する決済結果送信手段と、
を有し、
前記通信端末（Ａ）が、
前記コンテンツサーバより送信された決済結果を受信する決済結果受信手段と、
前記決済結果を表示する決済結果表示手段と、
を有する、請求項１〜６のいずれかに記載のコンテンツ配信システム。
【請求項８】
（Ａ）通信端末本体と、
通信端末本体に対して着脱可能に設置された、コンテンツを記憶するためのコンテンツ記憶モジュールと、
通信端末本体に対して着脱可能に設置された、加入者識別情報を記憶した加入者識別モジュールと、
を使用する方法であって、
前記加入者識別モジュールに記憶された、加入者識別情報と、前記コンテンツ記憶モジュールに記憶された、コンテンツ記憶モジュールを特定するためのコンテンツ記憶モジュール識別情報と、を対応付けて使用者識別情報を生成する使用者識別情報生成ステップと、
コンテンツサーバにコンテンツの要求を送信するコンテンツ要求送信ステップと、
コンテンツサーバに使用者識別情報を送信する使用者識別情報送信ステップと、
コンテンツサーバからコンテンツを受信するコンテンツ受信ステップと、
コンテンツサーバから受信したコンテンツを前記コンテンツ記憶モジュールに記憶させるコンテンツ記憶ステップと、
前記コンテンツ記憶モジュールに記憶されたコンテンツを利用するコンテンツ利用ステップと、
を有する、通信ネットワークを介して相互に通信可能な通信端末を使用する方法と、
（Ｂ）前記通信端末（Ａ）からのコンテンツ要求を受信するコンテンツ要求受信ステップと、
前記通信端末（Ａ）からの使用者識別情報を受信する使用者識別情報受信ステップと、
使用者識別情報を記憶するコンテンツサーバ側使用者識別情報記憶ステップと、
前記通信端末（Ａ）から受信した使用者識別情報と、コンテンツサーバに記憶されたコンテンツサーバ側使用者識別情報と、を照合する使用者照合ステップと、
を有する、通信ネットワークを介して相互に通信可能なコンテンツサーバを使用する方法と、
を含むコンテンツ配信方法であって、
前記通信端末（Ａ）から前記使用者識別情報が前記コンテンツサーバ（Ｂ）に送信され、
前記コンテンツサーバ（Ｂ）に受信された前記使用者識別情報が、前記コンテンツサーバ（Ｂ）に記憶された後、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、
前記コンテンツサーバ（Ｂ）に対する前記通信端末（Ａ）からのコンテンツ要求を受信した前記コンテンツサーバ（Ｂ）が、前記通信端末（Ａ）に対しコンテンツを送信し、前記コンテンツを受信することにより、
前記通信端末（Ａ）の前記コンテンツ記憶モジュールに記憶された前記コンテンツが、前記通信端末（Ａ）により利用可能とされることを特徴とする、コンテンツ配信方法。
【請求項９】
前記通信端末（Ａ）を使用する方法が、
前記通信端末（Ａ）の前記コンテンツ記憶モジュールに記憶された前記コンテンツを利用する前に、前記通信端末（Ａ）から前記使用者識別情報が前記コンテンツサーバ（Ｂ）に送信されるステップと、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合するステップと、
を含み、
前記通信端末（Ａ）から前記コンテンツサーバ（Ｂ）に送信された使用者識別情報と、前記コンテンツサーバ（Ｂ）に記憶されたコンテンツサーバ側使用者識別情報とが合致したときに、前記通信端末（Ａ）の前記コンテンツ記憶モジュールに記憶された前記コンテンツが、前記通信端末（Ａ）により利用可能とされる、請求項８に記載のコンテンツ配信方法。
【請求項１０】
前記通信端末（Ａ）を使用する方法が、
前記コンテンツ記憶モジュールに記憶されたコンテンツの再生回数、単位時間当たりの再生頻度および再生時間を含むコンテンツ利用情報を記憶するためのコンテンツ利用情報記憶ステップと、
前記コンテンツ利用情報を前記コンテンツサーバ（Ｂ）に送信するコンテンツ利用情報送信ステップと、
前記コンテンツサーバ（Ｂ）から送信されるコンテンツ優先順位情報を受信するコンテンツ優先順位情報受信ステップと、  
前記コンテンツ優先順位情報を表示するコンテンツ優先順位情報表示ステップと、
前記コンテンツ優先順位情報表示手段により表示された前記コンテンツ優先順次情報からコンテンツを選択できるコンテンツ選択ステップと、
を有し、
前記コンテンツサーバ（Ｂ）を使用する方法が、
前記通信端末（Ａ）から前記コンテンツサーバ（Ｂ）に送信されたコンテンツ利用情報を受信するコンテンツ利用情報受信ステップと、
前記コンテンツ利用情報を記憶するコンテンツサーバ側コンテンツ利用情報記憶ステップと、
前記コンテンツサーバ側コンテンツ利用情報記憶手段に記憶されたコンテンツ利用情報に基づいて各コンテンツの優先順位を決定するコンテンツ優先順位決定ステップと、
前記コンテンツ優先順位決定手段により決定されたコンテンツ優先順位情報を前記通信端末（Ａ）に送信するコンテンツ優先順位情報送信ステップと、
を有する方法と、を含み
前記コンテンツ優先順位情報を、前記コンテンツサーバ（Ｂ）から前記通信端末（Ａ）に送信して前記通信端末（Ａ）のコンテンツ優先順位情報表示ステップにより表示し、
表示された前記コンテンツ優先順位情報から選択されたコンテンツについて、前記コンテンツサーバ（Ｂ）に対し前記通信端末（Ａ）からコンテンツ要求が送信される、請求項８または９に記載のコンテンツ配信方法。
【請求項１１】
前記コンテンツサーバ（Ｂ）から送信されたコンテンツが、利用期間情報を含み、
前記コンテンツサーバ（Ｂ）から送信されたコンテンツを受信した前記通信端末（Ａ）のコンテンツ記憶モジュールに記憶されたコンテンツが、前記利用期間情報に含まれる利用期間を経過するまでは、前記通信端末（Ａ）により利用できる、請求項８〜１０のいずれかに記載のコンテンツ配信方法。
【請求項１２】
前記コンテンツサーバ（Ｂ）を使用する方法が、
文字情報、音声情報、音楽情報、画像情報および動画情報からなる群より選ばれる少なくとも一つからなる広告情報を前記通信端末（Ａ）に送信する広告情報送信ステップ、
を有し、
前記通信端末（Ａ）を使用する方法が、
前記コンテンツサーバ（Ｂ）より送信された前記広告情報を受信する広告情報受信ステップ、
前記広告情報をコンテンツ記憶モジュールに記憶させる広告記憶ステップ、
前記広告情報を前記通信端末（Ａ）に再生する広告再生ステップ、
を有し、
前記通信端末（Ａ）の前記コンテンツ記憶モジュールに記憶された前記コンテンツが前記通信端末（Ａ）により利用される際に、前記広告情報が前記通信端末（Ａ）に再生される、請求項８〜１１のいずれかに記載のコンテンツ配信方法。
【請求項１３】
前記コンテンツサーバ（Ｂ）を使用する方法が、
コンテンツを暗号化および復号化するためのコンテンツ暗号化鍵を生成するコンテンツ暗号化鍵生成ステップと、
コンテンツ暗号化鍵によりコンテンツを暗号化する暗号化ステップと、
前記暗号化手段により暗号化されたコンテンツを送信する暗号化コンテンツ送信ステップと、
前記コンテンツ暗号化鍵を送信するコンテンツ暗号化鍵送信ステップと、
を有し、
前記通信端末（Ａ）を使用する方法が、
前記コンテンツサーバ（Ｂ）より送信された暗号化されたコンテンツを受信する暗号化コンテンツ受信ステップと、
前記コンテンツサーバ（Ｂ）より送信されたコンテンツ暗号化鍵を受信するコンテンツ暗号化鍵受信ステップと、
前記コンテンツ記憶モジュールに暗号化されたコンテンツを記憶する暗号化コンテンツ記憶ステップと、
前記コンテンツ暗号化鍵を用いて前記暗号化されたコンテンツを復号するコンテンツ復号ステップと、
を有し、
前記コンテンツ記憶モジュールに記憶された暗号化されたコンテンツを、前記コンテンツ暗号化鍵により復号することにより、
前記通信端末（Ａ）の前記コンテンツ記憶モジュールに記憶された暗号化されたコンテンツが、前記通信端末（Ａ）により利用可能とされる、請求項８〜１２のいずれかに記載のコンテンツ配信方法。
【請求項１４】
前記コンテンツサーバ（Ｂ）を使用する方法が、
前記通信端末（Ａ）から送信されたコンテンツ要求を受信したときに、コンテンツ利用課金情報を生成するコンテンツ利用課金情報生成ステップと、
前記コンテンツ利用課金情報生成手段により生成したコンテンツ利用課金情報を決済機関に送信するコンテンツ利用課金情報送信ステップと、
前記決済機関からのコンテンツ利用課金情報に対する決済結果を受信する決済結果受信ステップと、
前記決済結果受信手段により受信された決済結果を、前記通信端末（Ａ）に送信する決済結果送信ステップと、
を有し、
前記通信端末（Ａ）を使用する方法が、前記コンテンツサーバより送信された決済結果を受信する決済結果受信ステップと、
前記決済結果を前記通信端末（Ａ）に表示する決済結果表示ステップと、
を有する、請求項８〜１３のいずれかに記載のコンテンツ配信方法。
【請求項１５】
通信端末本体と、
通信端末本体に対して着脱可能に設置された、コンテンツを記憶するためのコンテンツ記憶モジュールと、
通信端末本体に設置された、加入者識別情報を記憶した加入者識別モジュールと、
を含む、請求項８〜１４のいずれかに記載のコンテンツ配信方法を実施するための、通信端末。
【発明の詳細な説明】
【技術分野】
【０００１】
本発明は、コンテンツ配信システムおよびコンテンツ配信方法に関するものである。
【背景技術】
【０００２】
テレビやラジオ等の旧来の情報提供機器を使用した番組の場合、番組を提供する番組提供者側はテレビやラジオ等の視聴者を選択することができない。
このため前記番組に合わせて広告の配信を行う企業等は目標とする視聴者に広告を配信する際に、目標とする視聴者以外の視聴者にも広告を配信することになる。しかし目標とする視聴者以外の視聴者に対して広告を配信したとしても広告の効果が発揮されることは期待できず広告費用の浪費につながりやすい。このため広告の配信を行う企業等は目標とする視聴者に効率よく広告を配信するシステムの実現を要望してきた。
【０００３】
この様な背景から近年のインターネットや携帯電話回線等の情報回線の発達により、部分的ではあるが上記の要望を技術的に解決することが可能となってきている。具体的にはテレビやラジオ等の旧来の情報提供機器を使用した番組の様に番組提供者から視聴者に対する一方向の情報提供から、番組提供者と視聴者とが双方向の情報提供を行うことが可能となってきている。
双方向の情報提供が可能になれば、番組提供者は視聴者の性別、年齢、居住地、趣向等の視聴者情報を得ることができるから、それぞれの視聴者に対して視聴者情報に応じた番組を提供することが可能となる。
【０００４】
しかしながら番組提供者と視聴者との間で双方向の情報提供が可能になったとしても、番組提供者に視聴者が視聴者情報の提供に協力しなければ番組提供者は視聴者情報を得ることが困難である。
また物品の購入を検討している視聴者が希望する物品を購入した直後にはその物品を再度購入する必要がなくなる等の事例に代表されるように、時間の要素も視聴者の関心の変動に大きく寄与する。このため一度視聴者情報を取得したとしても過去の視聴者情報は現在の視聴者の関心を正しく反映していない場合があり、視聴者情報を常に最新の情報に更新しておくことも求められる。
【０００５】
この一方、インターネットや携帯電話回線等を利用して入手できるコンテンツの中には、特定の視聴者に視聴させることが好ましくないものが存在する。例えば試験実施前における試験解答に関するコンテンツ、特定の建物の警備情報に関するコンテンツ、正規の購入手続を経ずに入手されたコンテンツ等である。
これらのコンテンツを第三者が視聴することを防止するためには、前記コンテンツを視聴することができる通信端末にコンテンツ視聴制限機能を付加することが考えられる。
このコンテンツ視聴制限機能を備えた通信端末として、着脱可能なデータ記憶モジュールを備え、前記データ記憶モジュールに記憶された識別情報と、コンテンツに対応付けてメモリに記憶されている識別情報とを照合し、これらの識別情報が一致した場合にコンテンツの使用が許可される通信端末が提案されている（特許文献１）。
【０００６】
しかしこの提案された通信端末では、前記着脱可能なデータ記憶モジュールを備えた通信端末が中古通信端末市場に流通する等、意図せず前記通信端末が合法的に入手可能な流通経路に置かれた場合には、前記特定の視聴者が本来なら視聴の制限を受けるはずのコンテンツを前記特定の視聴者が視聴することが可能となる問題がある。
【０００７】
さらにコンテンツを提供する際に別の問題も生じる。
コンテンツを提供する場合は対象となる視聴者の関心を惹くため対象となる視聴者の趣向に合せたコンテンツを提供することが重要である。
しかし視聴者の趣向は多様である。
多様な視聴者の趣向に合わせてコンテンツを作製した場合、そのコンテンツの利用を希望する視聴者の人数は視聴者の趣向の多様性の増大に伴って減少する。このためコンテンツ提供者は視聴者の趣向の多様性の増大に伴い多量のコンテンツの作製が必要になる一方、個々のコンテンツの利用頻度は減少する問題がある。
このためコンテンツの制作費は増大するにも関わらずコンテンツの制作費を回収する機会は減少する傾向にある。
【先行技術文献】
【特許文献】
【０００８】
【特許文献１】特許第４１４２２８７号公報
【発明の概要】
【発明が解決しようとする課題】
【０００９】
本発明の課題は、視聴者が要望するコンテンツを容易に入手することができ、コンテンツ供給者が視聴者の要望するコンテンツを把握することができ、予め定められた視聴者に対しコンテンツ供給者がコンテンツを配信することのできるコンテンツ配信システムを提供することにある。
【課題を解決するための手段】
【００１０】
上記課題を解決するため、本発明者らが鋭意検討した結果、通信端末本体に設置された加入者識別モジュールに記憶された加入者識別情報と、通信端末本体に設置されたコンテンツ記憶モジュールに記憶されたコンテンツ記憶モジュールを特定するためのコンテンツ記憶モジュール識別情報と、を対応付けて使用者識別情報を生成し、この使用者識別情報をコンテンツサーバにあらかじめ記憶させておき、通信端末から送信された使用者識別情報と、コンテンツサーバに記憶されている使用者識別情報とが一致したときに、コンテンツサーバからコンテンツが配信され、通信端末においてコンテンツを利用することができるコンテンツ配信システムが本発明の目的に適うことを見出し、本発明を完成するに至った。
【００１１】
すなわち本発明は、
［１］（Ａ）通信端末本体と、
通信端末本体に対して着脱可能に設置された、コンテンツを記憶するためのコンテンツ記憶モジュールと、
通信端末本体に対して着脱可能に設置された、加入者識別情報を記憶した加入者識別モジュールと、
を有し、
前記加入者識別モジュールに記憶された加入者識別情報と、前記コンテンツ記憶モジュールに記憶された、コンテンツ記憶モジュールを特定するためのコンテンツ記憶モジュール識別情報と、を対応付けて使用者識別情報を生成する使用者識別情報生成手段と、
コンテンツサーバにコンテンツの要求を送信するコンテンツ要求送信手段と、
コンテンツサーバに使用者識別情報を送信する使用者識別情報送信手段と、
コンテンツサーバからコンテンツを受信するコンテンツ受信手段と、
コンテンツサーバから受信したコンテンツを前記コンテンツ記憶モジュールに記憶させるコンテンツ記憶手段と、
前記コンテンツ記憶モジュールに記憶されたコンテンツを利用するコンテンツ利用手段と、
を有する、通信ネットワークを介して相互に通信可能な通信端末と、
（Ｂ）前記通信端末（Ａ）からのコンテンツ要求を受信するコンテンツ要求受信手段と、
前記通信端末（Ａ）からの使用者識別情報を受信する使用者識別情報受信手段と、
使用者識別情報を記憶するコンテンツサーバ側使用者識別情報記憶手段と、
前記通信端末（Ａ）から受信した使用者識別情報と、コンテンツサーバに記憶されたコンテンツサーバ側使用者識別情報と、を照合する使用者照合手段と、
を有する、通信ネットワークを介して相互に通信可能なコンテンツサーバと、
を含むコンテンツ配信システムであって、
前記通信端末（Ａ）から前記使用者識別情報が前記コンテンツサーバ（Ｂ）に送信され、
前記コンテンツサーバ（Ｂ）に受信された前記使用者識別情報が、前記コンテンツサーバ（Ｂ）に記憶された後、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、
前記コンテンツサーバ（Ｂ）に対する前記通信端末（Ａ）からのコンテンツ要求を受信した前記コンテンツサーバ（Ｂ）が、前記通信端末（Ａ）に対しコンテンツを送信し、
前記コンテンツを受信することにより前記通信端末（Ａ）の前記コンテンツ記憶モジュールに記憶された前記コンテンツが、前記通信端末（Ａ）により利用可能とされることを特徴とする、コンテンツ配信システムを提供するものである。
【００１２】
また本発明の一つは、
［２］前記通信端末（Ａ）の前記コンテンツ記憶モジュールに記憶された前記コンテンツを利用する前に、前記通信端末（Ａ）から前記使用者識別情報が前記コンテンツサーバ（Ｂ）に送信され、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、前記通信端末（Ａ）の前記コンテンツ記憶モジュールに記憶された前記コンテンツが、前記通信端末（Ａ）により利用可能とされる、上記［１］に記載のコンテンツ配信システムを提供するものである。
【００１３】
また本発明の一つは、
［３］前記通信端末（Ａ）が、
前記コンテンツ記憶モジュールに記憶されたコンテンツの再生回数、単位時間当たりの再生頻度および再生時間を含むコンテンツ利用情報を記憶するコンテンツ利用情報記憶手段と、
前記コンテンツ利用情報を前記コンテンツサーバ（Ｂ）に送信するコンテンツ利用情報送信手段と、
前記コンテンツサーバ（Ｂ）から送信されるコンテンツ優先順位情報を受信するコンテンツ優先順位情報受信手段と、  
前記コンテンツ優先順位情報を表示するコンテンツ優先順位情報表示手段と、
前記コンテンツ優先順位情報表示手段により表示された前記コンテンツ優先順位情報からコンテンツを選択できるコンテンツ選択手段と、
を有し、
前記コンテンツサーバ（Ｂ）が、
前記通信端末（Ａ）から前記コンテンツサーバ（Ｂ）に送信されたコンテンツ利用情報を受信するコンテンツ利用情報受信手段と、
前記コンテンツ利用情報を記憶するコンテンツサーバ側コンテンツ利用情報記憶手段と、
前記コンテンツサーバ側コンテンツ利用情報記憶手段に記憶されたコンテンツ利用情報に基づいて各コンテンツの優先順位を決定するコンテンツ優先順位決定手段と、
前記コンテンツ優先順位決定手段により決定されたコンテンツ優先順位情報を前記通信端末（Ａ）に送信するコンテンツ優先順位情報送信手段と、
を有し、
前記コンテンツ優先順位情報が、前記コンテンツサーバ（Ｂ）から前記通信端末（Ａ）に送信されて前記通信端末（Ａ）のコンテンツ優先順位情報表示手段により表示され、
表示された前記コンテンツ優先順位情報から選択されたコンテンツについて、前記コンテンツサーバ（Ｂ）に対し前記通信端末（Ａ）からコンテンツ要求が送信される、上記［１］または［２］に記載のコンテンツ配信システムを提供するものである。
【００１４】
また本発明の一つは、
［４］前記コンテンツサーバ（Ｂ）から送信されたコンテンツが、利用期間情報を含み、
前記コンテンツサーバ（Ｂ）から送信されたコンテンツを受信した前記通信端末（Ａ）のコンテンツ記憶モジュールに記憶されたコンテンツが、前記利用期間情報に含まれる利用期間を経過するまでは、前記通信端末（Ａ）により利用できる、上記［１］〜［３］のいずれかに記載のコンテンツ配信システムを提供するものである。
【００１５】
また本発明の一つは、
［５］前記コンテンツサーバ（Ｂ）が、
文字情報、音声情報、音楽情報、画像情報および動画情報からなる群より選ばれる少なくとも一つからなる広告情報を前記通信端末（Ａ）に送信する広告情報送信手段、
を有し、
前記通信端末（Ａ）が、
前記コンテンツサーバ（Ｂ）より送信された前記広告情報を受信する広告情報受信手段、
前記広告情報をコンテンツ記憶モジュールに記憶させる広告記憶手段、
前記広告情報を前記通信端末（Ａ）に再生する広告再生手段、
を有し、
前記通信端末（Ａ）の前記コンテンツ記憶モジュールに記憶された前記コンテンツが前記通信端末（Ａ）により利用される際に、前記広告情報が前記通信端末（Ａ）に再生される、上記［１］〜［４］のいずれかに記載のコンテンツ配信システムを提供するものである。
【００１６】
また本発明の一つは、
［６］前記コンテンツサーバ（Ｂ）が、
コンテンツを暗号化および復号化するためのコンテンツ暗号化鍵を生成するコンテンツ暗号化鍵生成手段と、
コンテンツ暗号化鍵によりコンテンツを暗号化するコンテンツ暗号化手段と、
前記暗号化手段により暗号化されたコンテンツを送信する暗号化コンテンツ送信手段と、
前記コンテンツ暗号化鍵を送信するコンテンツ暗号化鍵送信手段と、
を有し、
前記通信端末（Ａ）が、
前記コンテンツサーバ（Ｂ）より送信された暗号化されたコンテンツを受信する暗号化コンテンツ受信手段と、
前記コンテンツサーバ（Ｂ）より送信されたコンテンツ暗号化鍵を受信するコンテンツ暗号化鍵受信手段と、
前記コンテンツ記憶モジュールに暗号化されたコンテンツを記憶する暗号化コンテンツ記憶手段と、
前記コンテンツ暗号化鍵を用いて前記暗号化されたコンテンツを復号するコンテンツ復号手段と、
を有し、
前記コンテンツ記憶モジュールに記憶された暗号化されたコンテンツを、前記コンテンツ暗号化鍵により復号することにより、
前記通信端末（Ａ）の前記コンテンツ記憶モジュールに記憶された暗号化されたコンテンツが、前記通信端末（Ａ）により利用可能とされる、上記［１］〜［５］のいずれかに記載のコンテンツ配信システムを提供するものである。
【００１７】
また本発明の一つは、
［７］前記コンテンツサーバ（Ｂ）が、
前記通信端末（Ａ）から送信されたコンテンツ要求を受信したときに、コンテンツ利用課金情報を生成するコンテンツ利用課金情報生成手段と、
前記コンテンツ利用課金情報生成手段により生成したコンテンツ利用課金情報を決済機関に送信するコンテンツ利用課金情報送信手段と、
前記決済機関からのコンテンツ利用課金情報に対する決済結果を受信する決済結果受信手段と、
前記決済結果受信手段により受信された決済結果を、前記通信端末（Ａ）に送信する決済結果送信手段と、
を有し、
前記通信端末（Ａ）が、
前記コンテンツサーバより送信された決済結果を受信する決済結果受信手段と、
前記決済結果を表示する決済結果表示手段と、
を有する、上記［１］〜［６］のいずれかに記載のコンテンツ配信システムを提供するものである。
【００１８】
また本発明は、
［８］（Ａ）通信端末本体と、
通信端末本体に対して着脱可能に設置された、コンテンツを記憶するためのコンテンツ記憶モジュールと、
通信端末本体に対して着脱可能に設置された、加入者識別情報を記憶した加入者識別モジュールと、
を使用する方法であって、
前記加入者識別モジュールに記憶された、加入者識別情報と、前記コンテンツ記憶モジュールに記憶された、コンテンツ記憶モジュールを特定するためのコンテンツ記憶モジュール識別情報と、を対応付けて使用者識別情報を生成する使用者識別情報生成ステップと、
コンテンツサーバにコンテンツの要求を送信するコンテンツ要求送信ステップと、
コンテンツサーバに使用者識別情報を送信する使用者識別情報送信ステップと、
コンテンツサーバからコンテンツを受信するコンテンツ受信ステップと、
コンテンツサーバから受信したコンテンツを前記コンテンツ記憶モジュールに記憶させるコンテンツ記憶ステップと、
前記コンテンツ記憶モジュールに記憶されたコンテンツを利用するコンテンツ利用ステップと、
を有する、通信ネットワークを介して相互に通信可能な通信端末を使用する方法と、
（Ｂ）前記通信端末（Ａ）からのコンテンツ要求を受信するコンテンツ要求受信ステップと、
前記通信端末（Ａ）からの使用者識別情報を受信する使用者識別情報受信ステップと、
使用者識別情報を記憶するコンテンツサーバ側使用者識別情報記憶ステップと、
前記通信端末（Ａ）から受信した使用者識別情報と、コンテンツサーバに記憶されたコンテンツサーバ側使用者識別情報と、を照合する使用者照合ステップと、
を有する、通信ネットワークを介して相互に通信可能なコンテンツサーバを使用する方法と、
を含むコンテンツ配信方法であって、
前記通信端末（Ａ）から前記使用者識別情報が前記コンテンツサーバ（Ｂ）に送信され、
前記コンテンツサーバ（Ｂ）に受信された前記使用者識別情報が、前記コンテンツサーバ（Ｂ）に記憶された後、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、
前記コンテンツサーバ（Ｂ）に対する前記通信端末（Ａ）からのコンテンツ要求を受信した前記コンテンツサーバ（Ｂ）が、前記通信端末（Ａ）に対しコンテンツを送信し、前記コンテンツを受信することにより、
前記通信端末（Ａ）の前記コンテンツ記憶モジュールに記憶された前記コンテンツが、前記通信端末（Ａ）により利用可能とされることを特徴とする、コンテンツ配信方法を提供するものである。
【００１９】
また本発明の一つは、
［９］前記通信端末（Ａ）を使用する方法が、
前記通信端末（Ａ）の前記コンテンツ記憶モジュールに記憶された前記コンテンツを利用する前に、前記通信端末（Ａ）から前記使用者識別情報が前記コンテンツサーバ（Ｂ）に送信されるステップと、
前記通信端末（Ａ）から前記コンテンツサーバ（Ｂ）に送信された使用者識別情報と、前記コンテンツサーバ（Ｂ）に記憶されたコンテンツサーバ側使用者識別情報とを照合するステップと、
を含み、
前記通信端末（Ａ）から前記コンテンツサーバ（Ｂ）に送信された使用者識別情報と、前記コンテンツサーバ（Ｂ）に記憶されたコンテンツサーバ側使用者識別情報とが合致したときに、前記通信端末（Ａ）の前記コンテンツ記憶モジュールに記憶された前記コンテンツが、前記通信端末（Ａ）により利用可能とされる、上記［８］に記載のコンテンツ配信方法を提供するものである。
【００２０】
また本発明の一つは、
［１０］前記通信端末（Ａ）を使用する方法が、
前記コンテンツ記憶モジュールに記憶されたコンテンツの再生回数、単位時間当たりの再生頻度および再生時間を含むコンテンツ利用情報を記憶するためのコンテンツ利用情報記憶ステップと、
前記コンテンツ利用情報を前記コンテンツサーバ（Ｂ）に送信するコンテンツ利用情報送信ステップと、
前記コンテンツサーバ（Ｂ）から送信されるコンテンツ優先順位情報を受信するコンテンツ優先順位情報受信ステップと、  
前記コンテンツ優先順位情報を表示するコンテンツ優先順位情報表示ステップと、
前記コンテンツ優先順位情報表示手段により表示された前記コンテンツ優先順次情報からコンテンツを選択できるコンテンツ選択ステップと、
を有し、
前記コンテンツサーバ（Ｂ）を使用する方法が、
前記通信端末（Ａ）から前記コンテンツサーバ（Ｂ）に送信されたコンテンツ利用情報を受信するコンテンツ利用情報受信ステップと、
前記コンテンツ利用情報を記憶するコンテンツサーバ側コンテンツ利用情報記憶ステップと、
前記コンテンツサーバ側コンテンツ利用情報記憶手段に記憶されたコンテンツ利用情報に基づいて各コンテンツの優先順位を決定するコンテンツ優先順位決定ステップと、
前記コンテンツ優先順位決定手段により決定されたコンテンツ優先順位情報を前記通信端末（Ａ）に送信するコンテンツ優先順位情報送信ステップと、
を有する方法と、を含み
前記コンテンツ優先順位情報を、前記コンテンツサーバ（Ｂ）から前記通信端末（Ａ）に送信して前記通信端末（Ａ）のコンテンツ優先順位情報表示ステップにより表示し、
表示された前記コンテンツ優先順位情報から選択されたコンテンツについて、前記コンテンツサーバ（Ｂ）に対し前記通信端末（Ａ）からコンテンツ要求が送信される、上記［８］または［９］に記載のコンテンツ配信方法を提供するものである。
【００２１】
また本発明の一つは、
［１１］前記コンテンツサーバ（Ｂ）から送信されたコンテンツが、利用期間情報を含み、
前記コンテンツサーバ（Ｂ）から送信されたコンテンツを受信した前記通信端末（Ａ）のコンテンツ記憶モジュールに記憶されたコンテンツが、前記利用期間情報に含まれる利用期間を経過するまでは、前記通信端末（Ａ）により利用できる、上記［８］〜［１０］のいずれかに記載のコンテンツ配信方法を提供するものである。
【００２２】
また本発明の一つは、
［１２］前記コンテンツサーバ（Ｂ）を使用する方法が、
文字情報、音声情報、音楽情報、画像情報および動画情報からなる群より選ばれる少なくとも一つからなる広告情報を前記通信端末（Ａ）に送信する広告情報送信ステップ、
を有し、
前記通信端末（Ａ）を使用する方法が、
前記コンテンツサーバ（Ｂ）より送信された前記広告情報を受信する広告情報受信ステップ、
前記広告情報をコンテンツ記憶モジュールに記憶させる広告記憶ステップ、
前記広告情報を前記通信端末（Ａ）に再生する広告再生ステップ、
を有し、
前記通信端末（Ａ）の前記コンテンツ記憶モジュールに記憶された前記コンテンツが前記通信端末（Ａ）により利用される際に、前記広告情報が前記通信端末（Ａ）に再生される、上記［８］〜［１１］のいずれかに記載のコンテンツ配信方法を提供するものである。
【００２３】
また本発明の一つは、
［１３］前記コンテンツサーバ（Ｂ）を使用する方法が、
コンテンツを暗号化および復号化するためのコンテンツ暗号化鍵を生成するコンテンツ暗号化鍵生成ステップと、
コンテンツ暗号化鍵によりコンテンツを暗号化する暗号化ステップと、
前記暗号化手段により暗号化されたコンテンツを送信する暗号化コンテンツ送信ステップと、
前記コンテンツ暗号化鍵を送信するコンテンツ暗号化鍵送信ステップと、
を有し、
前記通信端末（Ａ）を使用する方法が、
前記コンテンツサーバ（Ｂ）より送信された暗号化されたコンテンツを受信する暗号化コンテンツ受信ステップと、
前記コンテンツサーバ（Ｂ）より送信されたコンテンツ暗号化鍵を受信するコンテンツ暗号化鍵受信ステップと、
前記コンテンツ記憶モジュールに暗号化されたコンテンツを記憶する暗号化コンテンツ記憶ステップと、
前記コンテンツ暗号化鍵を用いて前記暗号化されたコンテンツを復号するコンテンツ復号ステップと、
を有し、
前記コンテンツ記憶モジュールに記憶された暗号化されたコンテンツを、前記コンテンツ暗号化鍵により復号することにより、
前記通信端末（Ａ）の前記コンテンツ記憶モジュールに記憶された暗号化されたコンテンツが、前記通信端末（Ａ）により利用可能とされる、上記［８］〜［１２］のいずれかに記載のコンテンツ配信方法を提供するものである。
【００２４】
また本発明の一つは、
［１４］前記コンテンツサーバ（Ｂ）を使用する方法が、
前記通信端末（Ａ）から送信されたコンテンツ要求を受信したときに、コンテンツ利用課金情報を生成するコンテンツ利用課金情報生成ステップと、
前記コンテンツ利用課金情報生成手段により生成したコンテンツ利用課金情報を決済機関に送信するコンテンツ利用課金情報送信ステップと、
前記決済機関からのコンテンツ利用課金情報に対する決済結果を受信する決済結果受信ステップと、
前記決済結果受信手段により受信された決済結果を、前記通信端末（Ａ）に送信する決済結果送信ステップと、
を有し、
前記通信端末（Ａ）を使用する方法が、
前記コンテンツサーバより送信された決済結果を受信する決済結果受信ステップと、
前記決済結果を表示する決済結果表示ステップと、
を有する、上記［８］〜［１３］のいずれかに記載のコンテンツ配信方法を提供するものである。
【００２５】
また本発明は、
［１５］通信端末本体と、
通信端末本体に対して着脱可能に設置された、コンテンツを記憶するためのコンテンツ記憶モジュールと、
通信端末本体に設置された、加入者識別情報を記憶した加入者識別モジュールと、
を含む、上記［８］〜［１４］のいずれかに記載のコンテンツ配信方法を実施するための、通信端末を提供するものである。
【発明の効果】
【００２６】
本発明に使用する通信端末（Ａ）は、
通信端末本体に対して着脱可能に設置された、コンテンツを記憶するためのコンテンツ記憶モジュールと、
通信端末本体に対して着脱可能に設置された、加入者識別情報を記憶した加入者識別モジュールと、を有する。
【００２７】
これらの前記加入者識別モジュールに記憶された加入者識別情報と、前記コンテンツ記憶モジュールに記憶された、コンテンツ記憶モジュールを特定するためのコンテンツ記憶モジュール識別情報と、を対応付けて使用者識別情報を生成する。この一方、前記使用者識別情報は前もってコンテンツサーバ（Ｂ）に記憶されている。前記通信端末（Ａ）から前記使用者識別情報が送信され、前記コンテンツサーバ（Ｂ）に受信される。そして前記コンテンツサーバ（Ｂ）に受信された前記使用者識別情報と、あらかじめコンテンツサーバ（Ｂ）に記憶されている使用者識別情報とを照合し、両者が一致した場合にコンテンツ記憶モジュールに記憶されたコンテンツを前記通信端末（Ａ）において利用することができる。
【００２８】
本発明の通信配信システムによれば、前記通信端末（Ａ）が、前記コンテンツ記憶モジュールと、前記加入者識別モジュールと、の双方を備える場合にコンテンツを利用することができる。このため通信端末本体の利用者が通信端末の老朽化、故障等の理由により古い通信端末本体を新しい通信端末に機種変更する場合、前記コンテンツ記憶モジュールと、前記加入者識別モジュールと、の双方を装着することのできる新しい通信端末であれば、煩わしいコンテンツ入れ替え作業を行うことなく、前記コンテンツ記憶モジュールおよび前記加入者識別モジュールの双方を新しい通信端末に装着すればコンテンツを利用することができる。このため通信端末本体の機種変更等が容易となる。
【００２９】
また、前記通信端末（Ａ）を前記加入者識別モジュールと共に売却したり、前記通信端末（Ａ）の利用契約を解約したりすることにより前記加入者識別モジュールが第三者の手に渡った場合であっても、第三者は使用者識別情報に対応付けられたコンテンツ記憶モジュール識別情報を持つコンテンツ記憶モジュールを有していなければ前記通信端末（Ａ）においてコンテンツの配信が制限される。これにより、予期せぬ第三者によるコンテンツの利用を制限することができる。
【００３０】
また前記通信端末（Ａ）の前記コンテンツ記憶モジュールに記憶された前記コンテンツを利用する前に、前記通信端末（Ａ）から前記コンテンツサーバ（Ｂ）に送信された使用者識別情報と、前記コンテンツサーバ（Ｂ）に記憶されたコンテンツサーバ側使用者識別情報とを照合して両者が合致したときに、前記通信端末（Ａ）の前記コンテンツ記憶モジュールに記憶された前記コンテンツを前記通信端末（Ａ）により利用することができる。
このため、第三者が前記通信端末（Ａ）の所有者になりすました場合であっても、前記コンテンツ記憶モジュールまたは加入者識別モジュールの一方を有しているだけでは前記コンテンツ記憶モジュールに記憶されたコンテンツを利用することができない。
このため第三者が前記通信端末（Ａ）の所有者になりすましてコンテンツを利用することを防止することができる。
【００３１】
本発明に使用するコンテンツを利用することができるのは、前記コンテンツ記憶モジュールおよび加入者識別モジュールを有する者である。前記コンテンツ記憶モジュールを第三者に貸し渡したり譲渡した場合には使用者識別情報に関連付けられている加入者識別情報を有しない通信端末においてコンテンツを利用することができないのはもちろんのこと、前記コンテンツ記憶モジュールがない場合には使用者識別情報に関連付けられている加入者識別情報を有する通信端末においてもコンテンツを利用することができなくなる。
【００３２】
このため、前記通信端末（Ａ）の使用者が前記コンテンツ記憶モジュールを第三者に貸し渡したり譲渡したりすることを未然に防止することができ、前記通信端末（Ａ）の使用者が前記コンテンツ記憶モジュールおよび加入者識別モジュールの管理を自発的に行うことが促進される。
【００３３】
前記コンテンツ記憶モジュールおよび加入者識別モジュールの管理が進むことにより、使用者識別情報により特定される個人と、前記通信端末（Ａ）の使用者とを対応させることができる。
【００３４】
また本発明においては、前記通信端末（Ａ）から、前記コンテンツ記憶モジュールに記憶されたコンテンツの再生回数、単位時間当たりの再生頻度および再生時間を含むコンテンツ利用情報を、随時コンテンツサーバ（Ｂ）に記憶させることができる。
前記コンテンツサーバ（Ｂ）では、個別に特定された通信端末（Ａ）のコンテンツ利用情報をコンテンツの優先順位に従って記憶することができる。コンテンツサーバ（Ｂ）に記憶されたコンテンツ利用情報の優先順位から、特定の通信端末（Ａ）の使用者の趣向を把握することができる。
【００３５】
このため本発明のコンテンツ配信システムでは、個別に特定された通信端末（Ａ）の使用者に対し、その使用者の関心が高いコンテンツを配信することができる。
【００３６】
また前記コンテンツサーバ（Ｂ）から送信するコンテンツに利用期間情報を付加することにより前記利用期間情報に含まれる利用期間を経過するまでは、前記通信端末（Ａ）によりコンテンツを利用することもできる。この様にコンテンツの利用期間に制限を設けることにより、前記通信端末（Ａ）の使用者は最新のコンテンツを利用することができる。
【００３７】
また本発明のコンテンツ配信システムにおいては送信された広告情報を前記通信端末（Ａ）において再生することもできる。本発明のコンテンツ配信システムにより、使用者識別情報により特定される前記通信端末（Ａ）の使用者に対し、使用者の趣向に沿った広告を配信することができる。
【００３８】
また本発明のコンテンツ配信システムにおいては暗号化されたコンテンツを配信することもできる。暗号化されたコンテンツの配信により、コンテンツの送信内容が傍受された場合であってもコンテンツの内容が使用者以外に漏洩することを防止することができる。
【００３９】
また本発明のコンテンツ配信システムにおいてはコンテンツの利用に際して発生する課金情報を決済機関において処理することもできる。このため本発明のコンテンツ配信システムは、コンテンツを利用する者に対してもコンテンツを提供する者に対しても商取引を容易に行う環境を提供することができる。
【図面の簡単な説明】
【００４０】
【図１】図１は実施例１に係るコンテンツ配信システムを説明するためのブロック図である。
【図２】図２は、実施例１に使用する通信端末１０の構成を例示するブロック図である。
【図３】図３は、実施例１に使用するコンテンツ記憶モジュールの構成を例示するブロック図である。
【図４】図４は、実施例１に使用する加入者識別モジュールの構成を例示するブロック図である。
【図５】図５は、実施例１に使用するコンテンツサーバの構成を例示するブロック図である。
【図６】図６は、通信端末を起動する動作を説明するためのブロック図である。
【図７】図７は、通信端末における各モジュールの接続確認を説明するためのブロック図である。
【図８】図８は、コンテンツ記憶モジュールによる使用者識別情報の生成と保存の動作を説明するためのブロック図である。
【図９】図９は、使用者識別情報の送信からワンタイムパスワードの生成、格納へ至る一連の動作を説明するためのシーケンスチャートである。
【図１０】図１０は、通信端末からコンテンツサーバにコンテンツを要求し、ダウンロードする動作を説明するためのシーケンスチャートである。
【図１１】図１１は、ワンタイムパスワードの照合処理を説明するためのブロック図である。
【図１２】図１２は、コンテンツを事前に確認する動作を説明するためのシーケンスチャートである。
【図１３】図１３は、実施例３に使用する通信端末の構成を例示するブロック図である。
【図１４】図１４は、実施例３に使用するコンテンツ記憶モジュールの構成を例示するブロック図である。
【図１５】図１５は、実施例３に使用するコンテンツサーバの構成を例示するブロック図である。
【図１６】図１６は、通信端末１０のコンテンツ利用情報をコンテンツサーバに送信する動作を説明するためのシーケンスチャートである。
【図１７】図１７は、実施例５に使用する通信端末の構成を例示するブロック図である。
【図１８】図１８は、実施例５に使用するコンテンツサーバの構成を例示するブロック図である。
【図１９】図１９は、広告の配信の動作を説明するためのシーケンスチャートである。
【図２０】図２０は、実施例６に使用する通信端末の構成を例示するブロック図である。
【図２１】図２１は、実施例６に使用するコンテンツ記憶モジュールの構成を例示するブロック図である。
【図２２】図２２は、実施例６に使用するコンテンツサーバの構成を例示するブロック図である。
【図２３】図２３は、暗号化されたコンテンツをコンテンツサーバから通信端末に送信する動作を説明するためのシーケンスチャートである。
【図２４】図２４は、実施例７に使用するコンテンツサーバの構成を例示するブロック図である。
【図２５】図２５は、実施例７に使用する通信端末の構成を例示するブロック図である。
【図２６】図２６は、ユーザからのコンテンツ要求に伴う課金決済処理と決済結果の表示の動作を説明するためのシーケンスチャートである。
【発明を実施するための形態】
【００４１】
以下に図面を参照しつつ、実施例により本発明の実施形態を詳細に説明する。なお本発明はこれらの実施例により何ら限定されるものではない。
【実施例１】
【００４２】
［コンテンツ配信システム１の構成］
図１は実施例１に係るコンテンツ配信システム１を説明するためのブロック図である。
図１に示される様に、コンテンツ配信システム１は、通信端末１０、インターネット２０、無線パケット通信網３０およびコンテンツサーバ４０を有する。また前記通信端末１０は、通信端末本体１２に対して着脱可能に設置することのできるコンテンツ記憶モジュール５０と、通信端末本体１２に対して着脱可能に設置することのできる加入者識別モジュール６０とを備える。
【００４３】
また無線パケット通信網３０は基地局３２とゲートウエイサーバ３４を備える。
図１のブロック図には、説明の便宜上一つの通信端末１０、インターネット２０、無線パケット通信網３０およびコンテンツサーバ４０等が記載されているが、これらは適宜複数を組み合わせて使用することができる。
【００４４】
前記通信端末１０はコンテンツ記憶モジュール５０と加入者識別モジュール６０とを備えた通信端末本体１２からなる。
前記通信端末１０は移動局として機能する。前記通信端末１０は無線パケット通信網３０の無線通信圏内にあるときに無線パケット通信網３０とパケット通信等の無線通信によりデータの送受信を行う。
前記通信端末１０は基地局３２およびゲートウエイサーバ３４を介してインターネット２０に接続したコンテンツサーバ４０からコンテンツをダウンロードすることができる。
【００４５】
前記コンテンツ記憶モジュール５０は、ミニＳＤカード、マイクロＳＤカード等の小型メモリーカード等のＩＣカードであり、マイクロプロセッサを有している。このコンテンツ記憶モジュール５０は、コンテンツサーバ４０から受信したコンテンツを記憶する。
【００４６】
前記加入者識別モジュール６０は、ＳＩＭ（Subscriber Identity Module）カード等のＩＣカードであり、マイクロプロセッサを有している。この加入者識別モジュール６０は前記加入者識別モジュール６０の所有者に関する情報（以下、「加入者識別情報」という）を記憶している。
前記加入者識別情報としては、例えば、通信サービスを提供する通信提供者と通信サービスの契約を行い入手することのできる電話番号、クレジットカード番号、暗証番号等が挙げられる。前記加入者識別情報は、加入者識別モジュール６０の所有者を特定できるものであれば特に限定はない。
【００４７】
前記無線パケット通信網３０は、パケット通信等の無線通信ができる圏内にある前記通信端末１０に対して通信を行う。前記無線パケット通信網３０は基地局３２とゲートウエイサーバ３４を有する。
また前記ゲートウエイサーバ３４はインターネット２０と前記無線パケット通信網３０とを接続する。具体的には前記インターネット２０に使用される通信プロトコルと前記無線パケット通信網３０に使用される通信プロトコルを相互に変換することにより、インターネット２０と前記無線パケット通信網３０との間の無線通信を行う。
【００４８】
前記コンテンツサーバ４０は、インターネット２０および無線パケット通信網３０を通じて通信端末１０に対しコンテンツを提供することができる。
前記コンテンツは、例えば、文字情報、音声情報、音楽情報、画像情報、動画情報等を含むものであり、これらの文字情報、音声情報、音楽情報、画像情報、動画情報等を前記通信端末１０に表示したり再生したりするプログラム等も含まれる。
【００４９】
［コンテンツ配信システム１のハードウエア］
［通信端末１０のハードウエア］
図２は、実施例１に使用する通信端末１０の構成を例示するブロック図である。
前記通信端末１０は、コンテンツ要求送信部１０４、使用者識別情報送信部１０６、コンテンツ受信部１０８、コンテンツ記憶モジュールインターフェイス１１０、加入者識別モジュールインターフェイス１１２、記憶部１１４、情報入力部１１６、情報表示部１１８、コンテンツ記憶モジュール５０および加入者識別モジュール６０を有する。
図２に示される通り、通信端末１０の各部は電子回路１０２により相互に通信可能に接続されている。
【００５０】
前記コンテンツ要求送信部１０４はゲートウエイサーバ３４を通じてコンテンツサーバ４０に対するコンテンツの要求を送信する。
前記使用者識別情報送信部１０６はゲートウエイサーバ３４を通じてコンテンツサーバ４０に対する使用者識別情報を送信する。
前記コンテンツサーバ４０に対するコンテンツ要求や使用者識別情報の送信は、ＣＰＵ（Central Processing Unit）１２０の制御の下に、送信信号に変換されて実施される。
前記コンテンツ受信部１０８は、コンテンツサーバ４０から送信されたコンテンツの送信信号を基地局３２を通じて受信する。受信したコンテンツの送信信号を復調してコンテンツを取得する。
【００５１】
前記コンテンツ記憶モジュールインターフェイス１１０は、通信端末本体１２に装着されたコンテンツ記憶モジュール５０との間の通信を制御する。また前記加入者識別モジュールインターフェイス１１２は、通信端末本体１２に装着された加入者識別モジュール６０との間の通信を制御する。
【００５２】
前記記憶部１１４は、揮発性のメモリ、不揮発性のメモリ等により構成されていて、前記通信端末１０のオペレーティングシステム、ブラウザ、各種アプリケーション等のプログラム等が格納されている。
【００５３】
前記情報入力部１１６は、数字、文字等を入力するためのキーボード、数字列表、文字列表等のキー、タッチパネル等を備えていて、キー等の操作に応じた操作信号をＣＰＵ１２０に出力する。
【００５４】
前記情報表示部１１８は、液晶表示パネル、有機ＥＬ表示パネル等の表示パネルと、これらの表示パネルを制御するための駆動回路とを有する。ＣＰＵ１２０の制御の下、前記表示パネルに各種情報が表示される。
【００５５】
前記コンテンツ記憶モジュール５０は、ゲートウエイサーバ３４を通じてコンテンツサーバ４０から送信されたコンテンツを格納する。
また前記コンテンツ記憶モジュール５０は前記コンテンツ記憶モジュール５０を特定するためのコンテンツ記憶モジュール識別情報を記憶する。
このコンテンツ記憶モジュール識別情報により前記コンテンツ記憶モジュール５０を唯一に特定することができる。
【００５６】
また前記コンテンツ記憶モジュール５０が通信端末本体１２に装着されたときに、前記加入者識別モジュール６０に記憶された加入者識別情報と、前記コンテンツ記憶モジュール５０に記憶された、コンテンツ記憶モジュールを特定するためのコンテンツ記憶モジュール識別情報とを対応付けて使用者識別情報を生成する。
生成された使用者識別情報は、前記コンテンツ記憶モジュール５０に記憶される。
また前記コンテンツ記憶モジュール５０に格納されたコンテンツを利用するためのアプリケーション等のプログラムも前記コンテンツ記憶モジュール５０に格納することができる。
【００５７】
前記加入者識別モジュール６０は、現時点において通信端末本体１２に装着されている前記加入者識別モジュール６０の加入者識別情報を格納する。
この加入者識別情報により、前記通信端末１０の現時点の使用者を唯一に特定することができる。
前記加入者識別モジュール６０が通信端末本体１２に装着されたときに、加入者識別情報が前記コンテンツ記憶モジュール５０に送信されて、使用者識別情報の生成に使用される。
【００５８】
前記ＣＰＵ１２０は、記憶部１１４または前記コンテンツ記憶モジュール５０に格納されている各種プログラムを実行することにより、通信端末１０の各部の制御、通信の実行、各種演算を行う。
【００５９】
［コンテンツ記憶モジュール５０のハードウエア］
図３は、実施例１に使用するコンテンツ記憶モジュール５０の構成を例示するブロック図である。
前記コンテンツ記憶モジュール５０は、通信端末本体インターフェイス５０４、記憶部５０６、コンテンツ記憶部５０８、ＣＰＵ５１０を有する。
図３に示される通り、コンテンツ記憶モジュール５０の各部は電子回路５０２により相互に通信可能に接続されている。
【００６０】
前記通信端末本体インターフェイス５０４は、通信端末本体１２に装着された前記コンテンツ記憶モジュール５０と通信端末本体１２との間の通信を制御する。
【００６１】
前記記憶部５０６は揮発性および不揮発性のメモリの少なくとも一方を含み、
コンテンツ記憶モジュール識別情報を格納するためのコンテンツ記憶モジュール識別情報記憶領域５１２、
前記加入者識別モジュール６０に記憶された加入者識別情報と、前記コンテンツ記憶モジュール５０に記憶された、コンテンツ記憶モジュールを特定するためのコンテンツ記憶モジュール識別情報とを対応付けて使用者識別情報を生成するプログラムを格納するための使用者識別情報生成プログラム格納領域５１４、
生成された使用者識別情報を格納するための使用者識別情報記憶領域５１６、
を有する。
【００６２】
前記コンテンツ記憶部５０８は、前記コンテンツサーバ４０から送信されたコンテンツを格納するためのコンテンツ記憶領域５１８、
コンテンツを識別するためのコンテンツリストデータを格納するためのコンテンツリスト記憶領域５２０、
を有する。
前記コンテンツリストデータとしては、例えば、コンテンツを唯一に特定する番号、そのコンテンツの属するカテゴリー、コンテンツの名称等を含むデータ等を挙げることができる。前記コンテンツリストデータによりコンテンツを容易に特定することができる。
【００６３】
通信端末１０の使用者がコンテンツサーバ４０からダウンロードしたコンテンツが不要になった場合には、コンテンツ記憶領域５１８からコンテンツが削除され、コンテンツリスト記憶領域５２０のコンテンツリストから当該コンテンツの情報が削除される。
【００６４】
前記ＣＰＵ５１０は、前記記憶部５０６、コンテンツ記憶部５０８に格納されている各種プログラムを実行することにより、前記コンテンツ記憶モジュール５０の各部を制御する。また前記ＣＰＵ５１０は、前記コンテンツ記憶モジュール５０が装着された通信端末本体１２と、前記コンテンツ記憶モジュール５０との間の通信を制御する。
【００６５】
［加入者識別モジュール６０のハードウエア］
図４は、実施例１に使用する加入者識別モジュール６０の構成を例示するブロック図である。
前記加入者識別モジュール６０は、通信端末本体インターフェイス６０４、記憶部６０６、ＣＰＵ６１０を有する。
図４に示される通り、加入者識別モジュール６０の各部は電子回路６０２により相互に通信可能に接続されている。
【００６６】
前記通信端末本体インターフェイス６０４は、通信端末本体１２に装着された前記加入者識別モジュール６０と通信端末本体１２との間の通信を制御する。
【００６７】
前記記憶部６０６は揮発性および不揮発性のメモリの少なくとも一方を含み、加入者識別情報を格納するための加入者識別情報記憶領域６１２と制御プログラムを格納するための制御プログラム格納領域６１４を有する。
前記加入者識別情報記憶領域６１２に格納された現時点の加入者識別情報は、前記コンテンツ記憶モジュール５０において使用者識別情報を生成する際に提供される。
【００６８】
前記ＣＰＵ６１０は、前記記憶部６０６の制御プログラム格納領域６１４に格納されている各種プログラムを実行することにより、前記加入者識別モジュール６０の各部を制御する。また前記ＣＰＵ６１０は、前記加入者識別モジュール６０が装着された通信端末本体１２と、前記加入者識別モジュール６０との間の通信を制御する。
【００６９】
［コンテンツサーバ４０のハードウエア］
図５は、実施例１に使用するコンテンツサーバ４０の構成を例示するブロック図である。
【００７０】
前記コンテンツサーバ４０は、コンテンツ要求受信部４０４、使用者識別情報受信部４０６、コンテンツサーバ側使用者識別情報記憶部４０８、使用者照合部４１０、コンテンツ記憶部４１２、コンテンツ送信部４１４、記憶部４１６、コンテンツ側使用者識別情報送信部４１８およびＣＰＵ４２０を有する。
図５に示される通り、コンテンツサーバ４０の各部は電子回路４０２により相互に通信可能に接続されている。
【００７１】
前記コンテンツ要求受信部４０４はゲートウエイサーバ３４を通じて通信端末１０からのコンテンツサーバ４０に対するコンテンツを要求を受信する。
前記使用者識別情報受信部４０６はゲートウエイサーバ３４を通じて通信端末１０から送信された使用者識別情報を受信する。
【００７２】
前記使用者照合部４１０は、過去にコンテンツサーバ側使用者識別情報記憶部４０８に受信されて記憶された使用者識別情報と、新たに受信した使用者識別情報とを照合するプログラムが格納されていて、両者が一致した場合に、前記コンテンツ送信部４１４に対して通信端末１０に要求のあったコンテンツを送信する指示を出す。
前記指示に従って前記コンテンツ送信部４１４からコンテンツ記憶部４１２に格納されているコンテンツが通信端末１０に送信される。
前通信端末１０に対するコンテンツの送信は、ＣＰＵ４２０の制御の下に、送信信号に変換されて実施される。
【００７３】
実施例１に係るコンテンツ配信システム１に使用される各ハードウエアの連携により、前記コンテンツサーバ４０から送信されたコンテンツが前記通信端末１０に受信されることにより、前記通信端末１０においてコンテンツを利用することができる。
【００７４】
［コンテンツ配信システム１の動作］
以下に実施例１に係るコンテンツ配信システム１の動作について説明する。前記通信端末本体１２には、前記コンテンツ記憶モジュール５０および前記加入者識別モジュール６０が装着されている。
【００７５】
［コンテンツサーバ４０への使用者識別情報の登録］
図６は、通信端末１０の起動動作を説明するためのブロック図である。
【００７６】
最初にユーザは通信端末本体１２に前記コンテンツ記憶モジュール５０および前記加入者識別モジュール６０を装着する。ユーザが通信端末１０の電源を入れて表示入力部１１６を操作しブラウザの起動を指示する。この指示により、コンテンツサーバ４０から提供されるウエブページ等を、前記通信端末１０の前記情報表示部１１８に表示することができる。
【００７７】
通信端末本体に対するコンテンツ記憶モジュールおよび入者識別モジュールの接続確認動作を図７のブロック図に例示する。
前記コンテンツ記憶モジュール５０を前記通信端末本体１２に装着すると、前記コンテンツ記憶モジュール５０の通信端末本体インターフェイス５０４が通信端末本体１２からの接続信号を検知する。前記コンテンツ記憶モジュール５０では前記通信端末本体１２からの接続信号を検知することにより、前記コンテンツ記憶モジュール５０が前記通信端末本体１２に装着されたことを確認することができる。
【００７８】
同様に、前記加入者識別モジュール６０を前記通信端末本体１２に装着すると、前記加入者識別モジュール６０の通信端末本体インターフェイス６０４が通信端末本体１２からの接続信号を検知する。前記加入者識別モジュール６０では前記通信端末本体１２からの接続信号を検知することにより、前記加入者識別モジュール６０が前記通信端末本体１２に装着されたことを確認することができる。
【００７９】
前記コンテンツ記憶モジュール５０が前記通信端末本体１２に装着されていない場合、または前記加入者識別モジュール６０が前記通信端末本体１２に装着されていない場合には、通信端末本体１２から発せられた接続信号に対する応答が前記コンテンツ記憶モジュール５０または前記加入者識別モジュール６０から得られない。前記コンテンツ記憶モジュール５０または前記加入者識別モジュール６０から接続信号の応答がないことを検知した通信端末本体１２のＣＰＵ１２０は、情報表示部１１８に信号を送り、通信端末本体１２に前記コンテンツ記憶モジュール５０および前記加入者識別モジュール６０の双方の接続をユーザに促す情報を表示する。
【００８０】
ユーザが通信端末本体１２に前記コンテンツ記憶モジュール５０および前記加入者識別モジュール６０の双方を接続すると、通信端末本体１２のＣＰＵ１２０は、接続完了を前記コンテンツ記憶モジュール５０のＣＰＵ５１０に通知する。
【００８１】
図８は、コンテンツ記憶モジュール５０による使用者識別情報の生成と保存の動作を説明するためのブロック図である。
前記コンテンツ記憶モジュール５０および前記加入者識別モジュール６０の双方が前記通信端末本体１２と接続されている通知を受信した前記コンテンツ記憶モジュール５０では、ＣＰＵ５１０により前記コンテンツ記憶モジュール５０の記憶部５０６の使用者識別情報生成プログラムが起動される。前記使用者識別情報生成プログラムにより、前記加入者識別モジュール６０の記憶部６０６の加入者識別情報記憶領域６１２に格納された加入者識別情報が取得され、前記コンテンツ記憶モジュール５０の記憶部５０６のコンテンツ記憶モジュール識別情報記憶領域６１２に格納されたコンテンツ記憶モジュール識別情報が取得される。
【００８２】
前記使用者識別情報生成プログラムにより、加入者識別情報とコンテンツ記憶モジュール識別情報とから、使用者識別情報が生成され、コンテンツ記憶モジュール５０の記憶部５０６の使用者識別情報記憶領域５１６に格納される。
【００８３】
図９は、使用者識別情報の送信からワンタイムパスワードの生成、格納へ至る一連の動作を説明するためのシーケンスチャートである。
前記通信端末１０から前記コンテンツサーバ４０に対し、使用者識別情報が通信信号に変換されて送信される。
【００８４】
前記使用者識別情報は前記加入者識別モジュールに記憶された加入者識別情報と、前記コンテンツ記憶モジュールに記憶されたコンテンツ記憶モジュールを特定するためのコンテンツ記憶モジュール識別情報と、が対応付けられて生成されている。このため、前記使用者識別情報から加入者識別情報とコンテンツ記憶モジュール識別情報とを得ることができる。
前記使用者識別情報は、前記加入者識別モジュールに記憶された加入者識別情報と、前記コンテンツ記憶モジュールに記憶されたコンテンツ記憶モジュールとを再生できる内容であれば特に限定はない。
【００８５】
使用者識別情報の通信信号を受信したコンテンツサーバ４０は、前記通信信号を復調して得られた使用者識別情報をコンテンツサーバ側使用者識別情報として前記コンテンツサーバ４０のコンテンツサーバ側使用者識別情報記憶部４０８に格納する。
次に前記コンテンツサーバ４０のＣＰＵ４２０は、コンテンツサーバ側使用者識別情報に１対１に対応するワンタイムパスワードを生成し、コンテンツサーバ側使用者識別情報記憶部４０８に格納する。
【００８６】
このワンタイムパスワードを通信信号に変換してコンテンツサーバ４０のコンテンツ側使用者識別情報送信部４１８から前記通信端末１０に送信する。
前記ワンタイムパスワードの通信信号を受信した前記通信端末１０は、前記通信信号を復調して前記ワンタイムパスワードを前記コンテンツ記憶モジュール５０の記憶部５０６に格納する。
【００８７】
図９に示したシーケンスチャートによるワンタイムパスワードの発行は、ユーザが通信端末本体１２から前記コンテンツ記憶モジュール５０および前記加入者識別モジュール６０の少なくとも一方を外した後に、最初に前記通信端末１０からコンテンツサーバ４０にアクセスしたときに実施される。
また図９に示したシーケンスチャートによるワンタイムパスワードの発行は、ユーザがコンテンツを利用する毎に実施してもよい。
【００８８】
前記コンテンツ記憶モジュール５０および前記加入者識別モジュール６０の少なくとも一方を着脱すると、前記通信端末本体１２のコンテンツ記憶モジュールインターフェイス１１０とコンテンツ記憶モジュール５０との間の接続信号の有無が前記通信端末本体１２のＣＰＵ１２０により検出され、また前記通信端末本体１２の加入者識別モジュールインターフェイス１１２と加入者識別モジュール６０との間の接続信号の有無が前記通信端末本体１２のＣＰＵ１２０により検出される。これにより前記コンテンツ記憶モジュール５０および前記加入者識別モジュール６０の少なくとも一方の着脱を監視することができる。
【００８９】
前記コンテンツ記憶モジュール５０および前記加入者識別モジュール６０の少なくとも一方の着脱が前記通信端末本体１２のＣＰＵ１２０により検出された場合には、前記コンテンツ記憶モジュール５０の記憶部５０６に格納されている前記ワンタイムパスワードは削除される。
【００９０】
［コンテンツサーバ４０へのコンテンツ要求と利用］
図１０は、通信端末１０からコンテンツサーバ４０にコンテンツを要求し、ダウンロードする動作を説明するためのシーケンスチャートである。
【００９１】
前記通信端末１０に搭載されたブラウザに前記コンテンツサーバのＵＲＬを入力して前記コンテンツサーバ４０にアクセスすると、コンテンツサーバ４０から前記ＵＲＬに対応するウエブページ等が前記通信端末１０の前記情報表示部１１８に表示される。
前記通信端末１０から前記コンテンツ記憶モジュール５０の記憶部５０６に格納された前記ワンタイムパスワードが使用者識別情報として送信される。
【００９２】
なお前記コンテンツ記憶モジュール５０の記憶部５０６に記憶されていないことを前記コンテンツ記憶モジュール５０のＣＰＵ５１０が検出した場合には、図９のシーケンスチャートに従って新たにワンタイムパスワードがコンテンツサーバ４０から送信され、前記ワンタイムパスワードが前記コンテンツ記憶モジュール５０の記憶部５０６に格納される。以降は新たなワンタイムパスワードが使用されて図１０に示す処理が実施される。
【００９３】
ワンタイムパスワードを受信したコンテンツサーバ４０は、前記通信端末１０から前記コンテンツサーバ４０に送信された使用者識別情報としてのワンタイムパスワードと、前記コンテンツサーバ４０に記憶されたコンテンツサーバ側使用者識別情報としてのワンタイムパスワードとを照合する。
【００９４】
ワンタイムパスワードの照合処理を図１１に示す。
前記通信端末１０からのワンタイムパスワードを受信したコンテンツサーバ４０は、前記通信端末１０から前記コンテンツサーバ４０に送信された使用者識別情報としてのワンタイムパスワードと、前記コンテンツサーバ４０に記憶されたコンテンツサーバ側使用者識別情報としてのワンタイムパスワードとを照合する。
【００９５】
両者が合致しない場合には前記コンテンツサーバ４０の前記使用者照合部４１０に格納されたアプリケーションによりワンタイムパスワードが合致しない旨の情報が前記コンテンツサーバ４０のコンテンツサーバ側使用者識別情報送信部４１８に送られる。前記コンテンツサーバ側使用者識別情報送信部４１８から前記通信端末１０のコンテンツ受信部１０８に対しワンタイムパスワードが合致しない旨の情報が通信信号として送信される。
【００９６】
前記通信信号を受信した前記通信端末１０のコンテンツ受信部１０８は、前記通信信号をワンタイムパスワードが合致しない旨の情報に復調し、前記通信端末１０の情報表示１１８にワンタイムパスワードが合致しない旨の情報が表示される。
前記通信端末１０から前記コンテンツサーバ４０に送信された使用者識別情報としてのワンタイムパスワードと、前記コンテンツサーバ４０に記憶されたコンテンツサーバ側使用者識別情報としてのワンタイムパスワードとが合致した場合には、図１０のシーケンスチャートに戻る。
なおワンタイムパスワードの照合は、ユーザが前記通信端末１０のコンテンツを利用する前に実施することができる。
例えば、ユーザが前記通信端末１０を操作してコンテンツの利用を開始する際に、図１１に記載されたワンタイムパスワードの照合処理に従ってワンタイムパスワードの照合を実施することができる。ユーザが前記通信端末１０のコンテンツを利用する前にワンタイムパスワードの照合を行うことにより、不正に前記通信端末１０のコンテンツが第三者により利用されることを防止することができる。
【００９７】
ワンタイムパスワードの照合ステップが完了すると、通信端末１０の情報表示部１１６に表示されたウエブページ等の複数のコンテンツの中からユーザーが希望するコンテンツが選択され、前記コンテンツサーバ４０に対して通信端末１０からコンテンツの要求が送信される。
【００９８】
前記コンテツサーバ４０コンテンツ送信部４１４からコンテンツを前記通信端末１０に送信する。
前記通信端末１０のコンテンツ受信部１０８により受信されたコンテンツは、通信端末本体１２に装着されたコンテンツ記憶モジュール５０の前記コンテンツ記憶部５０８に格納される。
【００９９】
前記通信端末１０の記憶部１１４または通信端末本体１２に装着されたコンテンツ記憶モジュール５０の前記記憶部５０６に格納されたアプリケーションにより、前記コンテンツが前記通信端末１０の前記情報表示部１１８に表示される。ユーザは表示されたコンテンツを利用することができる。
具体的には音楽情報の再生、画像情報の表示、動画情報の再生、各種ゲームの実施等を行うことができる。
【０１００】
コンテンツの利用が終了すると前記通信端末１０の記憶部１１４または通信端末本体１２に装着されたコンテンツ記憶モジュール５０の前記記憶部５０６に格納されたアプリケーションはコンテンツの再生の指示待ちの状態で待機する。
【実施例２】
【０１０１】
実施例２は実施例１の変形例である。
実施例２に係るコンテンツ配信システム２の構成と実施例２に係るコンテンツ配信システム２のハードウエアは実施例１の場合と同じである。
【０１０２】
実施例１に係るコンテンツ配信システム１の動作として、図１０のシーケンスチャートによりコンテンツサーバ４０へのコンテンツ要求と通信端末１０によるコンテンツ利用の動作を説明したが、実施例２に係るコンテンツ配信システム２の動作は、図１２のシーケンスチャートに示される様に、コンテンツを事前に確認できる点が異なる。
前記通信端末１０のコンテンツ受信部１０８により受信されたコンテンツは、通信端末本体１２に装着されたコンテンツ記憶モジュール５０の前記コンテンツ記憶部５０８に設けられたＲＡＭ（Random Access Memory) を使用して、コンテンツサーバ４０からストリーミング配信によりコンテンツの受信と共に再生される。
【０１０３】
ユーザはコンテンツを確認した後、通信端末本体１２の表示入力部１１６を操作して必要なコンテンツを通信端末本体１２に装着されたコンテンツ記憶モジュール５０の前記コンテンツ記憶部５０８に格納するよう、通信端末本体１２のＣＰＵ１２０に指示する。指示されたコンテンツは通信端末本体１２に装着されたコンテンツ記憶モジュール５０の前記コンテンツ記憶部５０８に格納される。
【０１０４】
ユーザがコンテンツを確認した後、コンテンツが不要である場合にはストリーミング配信されたコンテンツは通信端末本体１２に装着されたコンテンツ記憶モジュール５０の前記コンテンツ記憶部５０８に格納されない。
上記の動作により、ユーザが不要とするコンテンツが通信端末本体１２に装着されたコンテンツ記憶モジュール５０に多量に蓄積することを防止することができる。
【実施例３】
【０１０５】
実施例３は実施例１の変形例である。
以下に実施例１と異なる部分を中心に実施例３に係るコンテンツ配信システム３を説明する。特段説明しない部分は実施例１の場合と同様である。
【０１０６】
［コンテンツ配信システム３のハードウエア］
［通信端末１０のハードウエア］
図１３は、実施例３に使用する通信端末１０の構成を例示するブロック図である。
図１３において、図２に示されているコンテンツ要求送信部１０４、使用者識別情報送信部１０６、コンテンツ受信部１０８、記憶部１１４、情報入力部１１６および情報表示部１１８は説明の便宜上構成部１３０と記載されている。
【０１０７】
また図１３に示される通信端末１０は、前述の構成部１３０に加えて、コンテンツ利用情報送信部１４２、コンテンツ優先順位情報受信部１４４、コンテンツ優先順位情報表示部１４６およびコンテンツ選択部１４８を有する。
図１３に示される通り、通信端末１０の各部は電子回路１０２により相互に通信可能に接続されている。
【０１０８】
前記コンテンツ利用情報送信部１４２は、コンテンツ利用情報記憶部５４０に格納されたコンテンツ利用情報を通信信号に変換して前記コンテンツサーバ４０へ送信する。
前記コンテンツ優先順位情報受信部１４４は、前記コンテンツサーバ４０から送信されたコンテンツ優先順位情報の通信信号を受信してコンテンツ優先順位情報を復調する。
前記コンテンツ優先順位情報表示部１４６は、前記コンテンツ優先順位情報受信１４４に受信されたコンテンツ優先順位情報を表示する。
前記コンテンツ選択部１４８は、前記コンテンツ優先順位情報表示部１４６に表示されたコンテンツ優先順位情報に基づいてユーザが選択したコンテンツを特定する。
【０１０９】
［コンテンツ記憶モジュール５０のハードウエア］
図１４は実施例３に使用するコンテンツ記憶モジュール５０の構成を例示するブロック図である。
図１４において、図３に示される通信端末本体インターフェイス５０４、記憶部５０６およびコンテンツ記憶部５０８は説明の便宜上構成部５３０と記載されている。
また図１４に示されるコンテンツ記憶モジュール５０は、前述の構成部５３０に加えてコンテンツ利用情報記憶部５４０を有する。
図１４に記載される通り、コンテンツ記憶モジュール５０の各部は電子回路５０２により相互に通信可能に接続されている。
【０１１０】
前記コンテンツ利用情報記憶部５４０は、前記コンテンツ記憶モジュール５０に記憶されたコンテンツの再生回数、単位時間当たりの再生頻度および再生時間を含むコンテンツ利用情報を記憶する。
【０１１１】
［コンテンツサーバ４０のハードウエア］
図１５は実施例３に使用するコンテンツサーバ４０の構成を例示するブロック図である。
図１５において、図５に示されるコンテンツ要求受信部４０４、使用者識別情報受信部４０６、コンテンツサーバ側使用者識別情報記憶部４０８、使用者照合部４１０、コンテンツ記憶部４１２、コンテンツ送信部４１４、記憶部４１６は説明の便宜上構成部４３０と記載されている。
【０１１２】
また図１５に示されるコンテンツサーバ４０は、前述の構成部４３０に加えてコンテンツ利用情報受信部４４２、コンテンツサーバ側コンテンツ利用情報記憶部４４４、コンテンツ優先順位決定部４４６、コンテンツ優先順位情報送信部４４８を有する。
図１５に記載される通り、コンテンツサーバ４０の各部は電子回路４０２により相互に通信可能に接続されている。
【０１１３】
前記コンテンツ利用情報受信部４４２は、前記通信端末１０のコンテンツ利用情報送信部１４２から送信されたコンテンツ利用情報の通信信号を受信してコンテンツ利用情報を復調する。
前記コンテンツサーバ側コンテンツ利用情報記憶部４４４は、前記コンテンツ利用情報受信部４４２が受信したコンテンツ利用情報を格納する。
前記コンテンツ優先順位決定部４４６は、前記コンテンツサーバ側コンテンツ利用情報記憶部４４４に蓄積されたコンテンツ利用情報の順位付けを行う。
前記コンテンツ優先順位情報送信部４４４は、前記コンテンツ優先順位決定部４４６により得られた前記コンテンツ優先順位情報を通信信号に変換してから通信端末１０に対して送信する。
【０１１４】
［コンテンツ配信システム３の動作］
以下に実施例３に係るコンテンツ配信システム３の動作について説明する。前記通信端末本体１２には、前記コンテンツ記憶モジュール５０および前記加入者識別モジュール６０が装着されている。
【０１１５】
［コンテンツ利用情報を使用してコンテンツ優先順位情報を表示する動作］
図１６は、通信端末１０のコンテンツ利用情報をコンテンツサーバ４０に送信する動作を説明するためのシーケンスチャートである。
【０１１６】
前記通信端末１０の記憶部１１４または通信端末本体１２に装着されたコンテンツ記憶モジュール５０の前記記憶部５０６に格納されたアプリケーションにより前記コンテンツを利用すると、コンテンツの再生回数、単位時間当たりの再生頻度および再生時間含むコンテンツ利用情報が、前記通信端末本体１２に装着されたコンテンツ記憶モジュール５０に格納される。
【０１１７】
前記コンテンツ記憶モジュール５０に格納されたコンテンツ利用情報は、前記通信端末１０のコンテンツ利用情報送信部１４２により通信信号に変換されて前記コンテンツサーバ４０へ送信される。
前記コンテンツサーバ４０のコンテンツ利用情報受信部４４２は送信された通信信号を受信し、得られた通信信号からコンテンツ利用情報を復調する。前記コンテンツ利用情報はコンテンツサーバ４０の前記コンテンツサーバ側コンテンツ利用情報記憶部４４４に格納される。
前記コンテンツ優先順位決定部４４６は、前記コンテンツサーバ側コンテンツ利用情報記憶部４４４に蓄積されたコンテンツ利用情報を参照し、コンテンツのカテゴリー、コンテンツの種類毎にダウンロード回数等に対応付けたコンテンツ優先順位をリストデータとして出力する。
【０１１８】
リストデータの出力処理は、前記コンテンツサーバ４０に搭載された記憶部４１６のプログラムを用いて、ＣＰＵ４２０により実行される。例えば、前記リストデータに記載されたコンテンツのカテゴリー、コンテンツの種類毎のダウンロード数から、ダウンロード数の合計値が多いもの、配信開始後単位時間当たりのダウンロード数が多いもの等により、コンテンツのカテゴリー別にコンテンツ毎に順位付けを行う。
【０１１９】
コンテンツの順位付けの際には、コンテンツのダウンロード数の他、コンテンツの閲覧時間、再生頻度等の情報を加味して調整を行うことができる。
前記コンテンツ優先順位情報送信部４４４は、前記コンテンツ優先順位決定部４４６により得られた前記リストデータを通信信号に変換してから通信端末１０に対して送信する。
前記通信端末１０の前記コンテンツ優先順位情報受信部１４４は、  前記コンテンツサーバ４０から送信されたコンテンツ優先順位情報の通信信号を受信してコンテンツ優先順位情報を復調し、前記のリストデータを生成する。  
前記コンテンツ優先順位情報表示部１４６は、前記リストデータに基づいてコンテンツ優先順位情報を表示する。前記コンテンツ優先順位情報の表示は前記通信端末１０の記憶部１１４または通信端末本体１２に装着されたコンテンツ記憶モジュール５０の前記記憶部５０６に格納されたアプリケーションにより実行される。
【０１２０】
前記コンテンツ選択部１４８は、前記コンテンツ優先順位情報表示部１４６に表示されたコンテンツ優先順位情報に基づいてユーザが選択したコンテンツを特定する。この特定されたコンテンツについて、前記通信端末１０からコンテンツサーバ４０に対してコンテンツ要求が実施される。
前記コンテンツサーバ４０から前記通信端末１０に対するリストデータの配信は、一定時間毎に実施してもよいし、前記通信端末１０から前記コンテンツサーバ４０に対してアクセスしたときに実施してもよい。
【０１２１】
実施例３に係るコンテンツ配信システム３によれば、通信端末１０のコンテンツ利用情報がコンテンツサーバ４０に蓄積される。このため通信端末１０毎にコンテンツサーバ４０側から通信端末１０を使用するユーザの趣向を把握することができる。このためユーザの趣向に沿ったコンテンツの配信が容易となる。
【実施例４】
【０１２２】
実施例４は実施例１の変形例である。
実施例４に使用するコンテンツには、利用期間情報を含めることができる。ここで利用期間情報とは、通信端末１０のユーザがコンテンツを利用することのできる期間についての情報をいう。
【０１２３】
前記コンテンツが最初に通信端末本体１２に装着されたコンテンツ記憶モジュール５０の前記コンテンツ記憶部５０８に格納された時、または前記通信端末１０の記憶部１１４または通信端末本体１２に装着されたコンテンツ記憶モジュール５０の前記記憶部５０６に格納されたアプリケーションにより、前記コンテンツが最初に利用された時を基準に、通信端末本体１２に装着されたコンテンツ記憶モジュール５０の前記記憶部５０６に格納されたプログラムにより、一定期間経過後に前記アプリケーションによる利用の制限を実行することができる。
【０１２４】
また通信端末本体１２に装着されたコンテンツ記憶モジュール５０の前記記憶部５０６に格納されたプログラムにより、一定期間を経過したコンテンツを通信端末本体１２に装着されたコンテンツ記憶モジュール５０の前記コンテンツ記憶部５０８から削除することもできる。
【０１２５】
この様に使用するコンテンツに利用期間情報を含めることにより、古いコンテンツが通信端末本体１２に装着されたコンテンツ記憶モジュール５０の前記記憶部５０６の記憶領域を圧迫することを防止することができる。またユーザも最新のコンテンツを利用することが可能となる。
【実施例５】
【０１２６】
実施例５は実施例１の変形例である。
実施例５に係るコンテンツ配信システム５は、コンテンツの配信に加えて広告の配信を実施することができる。広告の配信に関連する部分以外の実施例５に係るコンテンツ配信システム５の構成は実施例１の場合と同様である。
【０１２７】
前記広告は、文字情報、音声情報、音楽情報、画像情報、動画情報等の一種もしくは二種以上を含み、通信端末１０を使用するユーザに対しユーザがコンテンツを利用する前、コンテンツを利用している間、またはコンテンツの利用を終えた後等に配信できるものである。
【０１２８】
［通信端末１０のハードウエア］
図１７は、実施例５に使用する通信端末１０の構成を例示するブロック図である。
図１７において、図２に示されているコンテンツ要求送信部１０４、使用者識別情報送信部１０６、コンテンツ受信部１０８、記憶部１１４、情報入力部１１６および情報表示部１１８は説明の便宜上構成部１３０と記載されている。
【０１２９】
また図１７示される通信端末１０は、前述の構成部１３０に加えて、広告情報受信部１５０を有する。
図１７に示される通り、通信端末１０の各部は電子回路１０２により相互に通信可能に接続されている。
前記広告情報受信部１５０は、コンテンツサーバ４０から送信される広告情報を受信する。
【０１３０】
［コンテンツサーバ４０のハードウエア］
図１８は、実施例５に使用するコンテンツサーバ４０の構成を例示するブロック図である。
図１８において、図５に示されるコンテンツ要求受信部４０４、使用者識別情報受信部４０６、コンテンツサーバ側使用者識別情報記憶部４０８、使用者照合部４１０、コンテンツ記憶部４１２、コンテンツ送信部４１４、記憶部４１６は説明の便宜上構成部４３０と記載されている。
【０１３１】
また図１８に示されるコンテンツサーバ４０は、前述の構成部４３０に加えて、広告情報記憶部４５０および広告情報送信部４５２を有する。
図１８に記載される通り、コンテンツサーバ４０の各部は電子回路４０２により相互に通信可能に接続されている。
前記広告情報記憶部４５０は、文字情報、音声情報、音楽情報、画像情報、動画情報等の一種もしくは二種以上を含む広告情報を格納する。
前記広告情報送信部４５２は、通信端末１０に対して広告情報を送信する。
【０１３２】
［コンテンツ配信システム５の動作］
以下に実施例５に係るコンテンツ配信システム５の動作について説明する。前記通信端末本体１２には、前記コンテンツ記憶モジュール５０および前記加入者識別モジュール６０が装着されている。
【０１３３】
前記広告の配信を図１７および１８のブロック図ならびに図１９のシーケンスチャートを用いて説明する。
前記広告情報記憶部４５０の広告情報が、前記コンテンツサーバ４０の広告情報送信部４５２から通信端末１０に対して通信信号に変換されて送信される。
広告情報の通信信号は前記通信端末１０の広告情報受信部１５０に受信され、広告情報に復調される。
【０１３４】
次に前記広告情報は、前記通信端末本体１２に装着されたコンテンツ記憶モジュール５０のコンテンツ記憶部５０８に格納される。
前記通信端末本体１２に装着されたコンテンツ記憶モジュール５０のコンテンツ記憶部５０８に格納された広告情報は、前記通信端末本体１２に装着されたコンテンツ記憶モジュール５０の記憶部５０６に格納されたアプリケーションにより再生される。再生信号は通信端末本体１２に実装されるＣＰＵ１２０の制御の下に通信端末１２の前記情報表示部１１８等を通じて表示される。
【０１３５】
前記広告情報の表示はユーザがコンテンツを利用する前、利用している間および利用した後の少なくとも一つの間に実施することができる。
実施例５の変形例として、実施例３により説明したコンテンツ優先順位情報を含むリストデータを利用することも可能である。具体的には前記コンテンツ優先順位情報を含むリストデータの内容に対応する広告情報のリストデータを前記コンテンツサーバ４０の広告情報記憶部４５０に格納しておく。そしてユーザが選択するコンテンツと同じカテゴリーに属する広告を選択して前記コンテンツサーバ４０から前記通信端末１０に配信することもできる。
【実施例６】
【０１３６】
実施例６は実施例１の変形例である。
実施例６に係るコンテンツ配信システム６は、暗号化されたコンテンツを配信することができる。暗号化されたコンテンツの配信に関連する部分以外の実施例６に係るコンテンツ配信システム６の構成は実施例１の場合と同様である。
【０１３７】
［コンテンツ配信システム６のハードウエア］
［通信端末１０のハードウエア］
図２０は、実施例６に使用する通信端末１０の構成を例示するブロック図である。
図２０において、図２に示されているコンテンツ要求送信部１０４、使用者識別情報送信部１０６、コンテンツ受信部１０８、記憶部１１４、情報入力部１１６および情報表示部１１８は説明の便宜上構成部１３０と記載されている。
【０１３８】
また図２０示される通信端末１０は、前述の構成部１３０に加えて、暗号化コンテンツ受信部１５２およびコンテンツ暗号化鍵受信部１５４を有する。
図２０に示される通り、通信端末１０の各部は電子回路１０２により相互に通信可能に接続されている。
【０１３９】
前記暗号化コンテンツ受信部１５２は、コンテンツサーバ４０の暗号化コンテンツ送信部４６４から送信された暗号化コンテンツを通信信号として受信し、暗号化コンテンツに復調する。
前記コンテンツ暗号化鍵受信部１５４は、コンテンツサーバ４０のコンテンツ暗号化鍵送信部４６６から送信されたコンテンツ暗号化鍵を通信信号として受信し、コンテンツ暗号化鍵に復調する。
【０１４０】
［コンテンツ記憶モジュール５０のハードウエア］
図２１は、実施例６に使用するコンテンツ記憶モジュール５０の構成を例示するブロック図である。
図２１において、図３に示される通信端末本体インターフェイス５０４、記憶部５０６およびコンテンツ記憶部５０８は説明の便宜上構成部５３０と記載されている。
また図２１に示されるコンテンツ記憶モジュール５０は、前述の構成部５３０に加えて、暗号化コンテンツ記憶部５５６およびコンテンツ復号部５５８を有する。
図２１に記載される通り、コンテンツ記憶モジュール５０の各部は電子回路５０２により相互に通信可能に接続されている。
【０１４１】
前記暗号化コンテンツ記憶部５５６は、前記暗号化コンテンツ受信部１５２が受信した暗号化コンテンツを格納する。
前記コンテンツ復号部５５８は、前記暗号化コンテンツ記憶部５５６に格納された暗号化コンテンツを、前記コンテンツ暗号化鍵受信部１５４に受信されたコンテンツ暗号化鍵を使用して復号する。
【０１４２】
［コンテンツサーバ４０のハードウエア］
図２２は、実施例６に使用するコンテンツサーバ４０の構成を例示するブロック図である。
図２２において、図５に示されるコンテンツ要求受信部４０４、使用者識別情報受信部４０６、コンテンツサーバ側使用者識別情報記憶部４０８、使用者照合部４１０、コンテンツ記憶部４１２、コンテンツ送信部４１４、記憶部４１６は説明の便宜上構成部４３０と記載されている。
【０１４３】
また図２２に示されるコンテンツサーバ４０は、前述の構成部４３０に加えて、コンテンツ暗号化鍵生成部４６０、コンテンツ暗号化部４６２、暗号化コンテンツ送信部４６４およびコンテンツ暗号化鍵送信部４６６を有する。
図２２に記載される通り、コンテンツサーバ４０の各部は電子回路４０２により相互に通信可能に接続されている。
【０１４４】
前記コンテンツ暗号化鍵生成部４６０は、コンテンツを暗号化および復号化するためのコンテンツ暗号化鍵を生成する。
前記コンテンツ暗号化部４６２は、前記コンテンツ暗号化鍵生成部４６０により生成されたコンテンツ暗号化鍵を用いてコンテンツを暗号化する。
【０１４５】
前記暗号化コンテンツ送信部４６４は、前記前記コンテンツ暗号化部４６２により暗号化されたコンテンツを通信信号に変換して通信端末１０に送信する。
また前記コンテンツ暗号化鍵送信部４６６は、前記コンテンツ暗号化鍵生成部４６０により生成された暗号化鍵を通信信号に変換して通信端末１０に送信する。
【０１４６】
［コンテンツ配信システム６の動作］
以下に実施例６に係るコンテンツ配信システム６の動作について説明する。前記通信端末本体１２には、前記コンテンツ記憶モジュール５０および前記加入者識別モジュール６０が装着されている。
【０１４７】
［コンテンツの暗号化と暗号化されたコンテンツの送受信の動作］
図２３は、コンテンツを暗号化し、暗号化されたコンテンツをコンテンツサーバ４０から通信端末１００に送信する動作を説明するためのシーケンスチャートである。
最初にコンテンツサーバ４０のコンテンツ暗号化鍵生成部４５０によりコンテンツを暗号化するためのコンテンツ暗号化鍵が生成される。前記コンテンツ暗号化鍵はコンテンツの暗号化および復号に使用される。
【０１４８】
前記コンテンツサーバ４０のＣＰＵ４２０は、前記コンテンツサーバ４０の前記コンテンツ暗号化部４５２に格納された所定のアルゴリズムに従いコンテンツに対応した前記コンテンツ暗号化鍵を生成する。
本発明に使用するコンテンツ暗号化鍵の生成方法に限定はなく、使用するコンテンツの内容や用途に応じて適宜選択することができる。
次に前記コンテンツサーバ４０のＣＰＵ４２０は、前記コンテンツ暗号化部４５２に格納されたアプリケーションにより、前記コンテンツ暗号化鍵を用いてコンテンツを暗号化する。
【０１４９】
暗号化されたコンテンツは前記暗号化コンテンツ送信部４５４により通信信号に変換されて前記暗号化コンテンツ送信部４５４から通信端末１０に送信される。
またコンテンツ暗号化鍵はコンテンツ暗号化鍵送信部４５６により通信信号に変換されて前記コンテンツ暗号化鍵送信部４５６から通信端末１０に送信される。
【０１５０】
暗号化されたコンテンツの通信信号を受信した前記通信端末１０の暗号化コンテンツ受信部１５２は前記通信信号を暗号化されたコンテンツに復調する。前記暗号化されたコンテンツは、前記通信端末本体１２に設置されたコンテンツ記憶モジュール５０の前記暗号化コンテンツ記憶部１５６に格納される。
【０１５１】
またコンテンツ暗号化鍵の通信信号を受信した前記通信端末１０のコンテンツ暗号化鍵受信部１５４は前記通信信号をコンテンツ暗号化鍵に復調する。前記コンテンツ暗号化鍵も前記通信端末本体１２に設置されたコンテンツ記憶モジュール５０の前記暗号化コンテンツ記憶部１５６に格納される。
次に通信端末１０のＣＰＵ１２０は、前記通信端末本体１２に設置されたコンテンツ記憶モジュール５０の前記コンテンツ復号部１５８に格納された所定のアルゴリズムに従い前記暗号化コンテンツ記憶部１５６に格納された暗号化鍵を用いて暗号化されたコンテンツを復号する。
【０１５２】
復号化されたコンテンツは実施例１の場合と同様の動作によりユーザが利用することができる。
【実施例７】
【０１５３】
実施例７は実施例１の変形例である。
実施例７に係るコンテンツ配信システム７は、前記通信端末１０によりユーザがコンテンツを使用したときにコンテンツ利用料金を課金することができる。コンテンツ利用に対する課金処理に関連する部分以外の実施例７に係るコンテンツ配信システム７の構成は実施例１の場合と同様である。
【０１５４】
［コンテンツ配信システム７のハードウエア］
［コンテンツサーバ４０のハードウエア］
図２４は、実施例７に使用するコンテンツサーバ４０の構成を例示するブロック図である。
図２４において、図５に示されるコンテンツ要求受信部４０４、使用者識別情報受信部４０６、コンテンツサーバ側使用者識別情報記憶部４０８、使用者照合部４１０、コンテンツ記憶部４１２、コンテンツ送信部４１４、記憶部４１６は説明の便宜上構成部４３０と記載されている。
【０１５５】
また図２４に示されるコンテンツサーバ４０は、前述の構成部４３０に加えて、コンテンツ利用課金情報生成部４７０、コンテンツ利用課金情報送信部４７２、決済結果受信部４７４および決済結果送信部４７６を有する。
図２４に記載される通り、コンテンツサーバ４０の各部は電子回路４０２により相互に通信可能に接続されている。
【０１５６】
前記コンテンツ利用課金情報生成部４７０は、前記通信端末１０から送信されたコンテンツ要求の受信に伴い、当該コンテンツの利用状況からユーザが負担すべき課金情報を生成する。
前記コンテンツ利用課金情報送信部４７２は、前記コンテンツ利用課金情報生成部４６０により生成されたコンテンツ利用課金情報を通信信号に変換して、電子商取引の代金決済機関に送信する。
【０１５７】
前記決済結果受信部４７４は、前記決済機関から送信された決済結果を通信信号として受信し、決済結果の情報に復調する。
前記決済結果送信部４７６は、前記決済結果を通信信号に変換して前記通信端末１０に送信する。
【０１５８】
［通信端末１０のハードウエア］
図２５は、実施例７に使用する通信端末１０の構成を例示するブロック図である。
図２５において、図２に示されているコンテンツ要求送信部１０４、使用者識別情報送信部１０６、コンテンツ受信部１０８、記憶部１１４、情報入力部１１６および情報表示部１１８は説明の便宜上構成部１３０と記載されている。
また図２５示される通信端末１０は、前述の構成部１３０に加えて、決済結果受信部１７０を有する。
図２５に示される通り、通信端末１０の各部は電子回路１０２により相互に通信可能に接続されている。
【０１５９】
前記決済結果受信部１７０は、前記コンテンツサーバ４０から送信された決済結果の通信信号を受信し、決済結果の情報に復調する。
【０１６０】
［コンテンツ配信システム７の動作］
以下に実施例７に係るコンテンツ配信システム７の動作について説明する。前記通信端末本体１２には、前記コンテンツ記憶モジュール５０および前記加入者識別モジュール６０が装着されている。
【０１６１】
［ユーザのコンテンツ利用に伴う課金決済処理と決済結果の表示の動作］
図２６は、ユーザからのコンテンツ要求に伴う課金決済処理と決済結果の表示の動作を説明するためのシーケンスチャートである。
前記通信端末１０からのコンテンツ要求を受信すると、前記コンテンツサーバ４０のＣＰＵ４２０は、前記コンテンツサーバ４０のコンテンツ利用課金情報生成部４７０に格納されたアプリケーションを制御し、コンテンツ要求の対象となるコンテンツの数、種類等を特定する。コンテンツサーバ４０のコンテンツ記憶部４１２にはコンテンツ毎の利用料金が各コンテンツに対応付けて格納されている。この利用料金を用いて前記通信端末１０に対するコンテンツの送信に必要となるコンテンツ利用課金情報を生成する。
前記コンテンツ利用課金情報送信部４７２は、前記コンテンツ利用課金情報生成部４７０により生成されたコンテンツ利用課金情報を通信信号に変換して、外部の電子商取引の代金決済機関に送信する。また前記コンテンツ利用課金情報に加えて、ユーザのクレジットカード等の情報も使用者識別情報を利用して送信することができる。
【０１６２】
外部の代金決済機関は前記コンテンツサーバ４０から送信されたコンテンツ利用課金情報を受信した後、そのコンテンツ利用課金情報に基づいてコンテンツ利用課金を承認するかしないかを決定する。コンテンツ利用課金が承認された場合にはユーザのクレジットカード情報等に基づき決済機関において決済処理が実施される。
【０１６３】
決済結果は通信信号に変換されてコンテンツサーバ４０の前記決済結果受信部４７４に送信される。前記コンテンツサーバ４０の前記決済結果受信部４７４は決済結果の通信信号を復調して決済結果を得る。得られた決済結果は前記コンテンツサーバ４０の決済結果送信部４７６により通信信号に変換されて、前記通信端末１０に送信される。
前記決済結果の通信信号を受信した前記通信端末１０の記決済結果受信部１７０は、前記コンテンツサーバ４０から送信された決済結果の通信信号を復調する。復調された決済結果は前記通信端末１０の前記情報表示部１１８に表示される。
【０１６４】
実施例７に示される様に、外部の決済機関と連携することによりコンテンツの利用に対して課金処理が可能となる。
【産業上の利用可能性】
【０１６５】
本発明のコンテンツ配信システムによれば、加入者識別情報とコンテンツ記憶モジュール識別情報とにより通信端末を使用するユーザを特定することができるため、特定のユーザに対してユーザの趣向に合致したコンテンツや広告を配信することができる。
【符号の説明】
【０１６６】
１        コンテンツ配信システム
１０    通信端末
１２    通信端末本体
２０    インターネット
３０    無線パケット通信網
３２    基地局
３４    ゲートウエイサーバ
４０    コンテンツサーバ
５０    コンテンツ記憶モジュール
６０    加入者識別モジュール
１０２、４０２、５０２    電子回路
１０４    コンテンツ要求送信部
１０６    使用者識別情報送信部
１０８    コンテンツ受信部
１１０    コンテンツ記憶モジュールインターフェイス
１１２    加入者識別モジュールインターフェイス
１１４、４１６、５０６、６０６    記憶部
１１６    情報入力部
１１８    情報表示部
１２０、４２０、５１０、６１０    ＣＰＵ
１４２    コンテンツ利用情報送信部
１４４    コンテンツ優先順位情報受信部
１４６    コンテンツ優先順位情報表示部
１４８    コンテンツ選択部
１５０    広告情報受信部
１５２    暗号化コンテンツ受信部
１５４    コンテンツ暗号化鍵受信部
１７０    決済結果受信部
４０４    コンテンツ要求受信部
４０６    使用者識別情報受信部
４０８    コンテンツサーバ側使用者識別情報記憶部
４１０    使用者照合部
４１２、５０８    コンテンツ記憶部
４１４    コンテンツ送信部
４１８    コンテンツ側使用者識別情報送信部
４４２    コンテンツ利用情報受信部
４４４    コンテンツサーバ側コンテンツ利用情報記憶部
４４６    コンテンツ優先順位決定部
４４８    コンテンツ優先順位情報送信部
４５０    広告情報記憶部
４５２    広告情報送信部
４６０    コンテンツ暗号化鍵生成部
４６２    コンテンツ暗号化部
４６４    暗号化コンテンツ送信部
４６６    コンテンツ暗号化鍵送信部
４７０    コンテンツ利用課金情報生成部
４７２    コンテンツ利用課金情報送信部
４７４    決済結果受信部
４７６    決済結果送信部
５０４、６０４    通信端末本体インターフェイス
５４０    コンテンツ利用情報記憶部
５５６    暗号化コンテンツ記憶部
５５８    コンテンツ復号部
６１２    加入者識別情報記憶領域
６１４    制御プログラム格納領域
【図１】
2012182602.tif 000003
【図２】
2012182602.tif 000004
【図３】
2012182602.tif 000005
【図４】
2012182602.tif 000006
【図５】
2012182602.tif 000007
【図６】
2012182602.tif 000008
【図７】
2012182602.tif 000009
【図８】
2012182602.tif 000010
【図９】
2012182602.tif 000011
【図１０】
2012182602.tif 000012
【図１１】
2012182602.tif 000013
【図１２】
2012182602.tif 000014
【図１３】
2012182602.tif 000015
【図１４】
2012182602.tif 000016
【図１５】
2012182602.tif 000017
【図１６】
2012182602.tif 000018
【図１７】
2012182602.tif 000019
【図１８】
2012182602.tif 000020
【図１９】
2012182602.tif 000021
【図２０】
2012182602.tif 000022
【図２１】
2012182602.tif 000023
【図２２】
2012182602.tif 000024
【図２３】
2012182602.tif 000025
【図２４】
2012182602.tif 000026
【図２５】
2012182602.tif 000027
【図２６】
2012182602.tif 000028